(57)【要約】  本発明は、デルタ状に配列された複数の画素（１０）を有する表示パネル（１）と、複数の画素（１０）を駆動するゲートドライバ（２）およびソースドライバ（３）とを備えた表示装置（１００）であって、複数の画素（１０）は、互いに配置位置が異なる第１の画素群、第２の画素群、および第３の画素群に分かれており、ゲートドライバ（２）およびソースドライバ（３）は、第１の画素群を駆動する際、ガンマ特性γ１を有するガンマ曲線Ｃ１を用い、かつ、第２の画素群を駆動する際、ガンマ特性γ１と異なるガンマ特性γ２を有するガンマ曲線Ｃ２を用い、かつ、第３の画素群を駆動する際、ガンマ特性γ１およびガンマ特性γ２のいずれとも異なるガンマ特性γ３を有するガンマ曲線Ｃ３を用いるので、視野角を広くすることができる。
2011024516.tif 000002
【特許請求の範囲】
【請求項１】
デルタ状に配列された複数の画素を有する表示パネルと、前記複数の画素を駆動する駆動回路とを備えた表示装置であって、
前記複数の画素は、互いに配置位置が異なる第１の画素群、第２の画素群、および第３の画素群に分かれており、
前記駆動回路は、
前記第１の画素群を駆動する際、第１のガンマ特性を有する第１のガンマ曲線を用い、かつ、
前記第２の画素群を駆動する際、前記第１のガンマ特性と異なる第２のガンマ特性を有する第２のガンマ曲線を用い、かつ、
前記第３の画素群を駆動する際、前記第１のガンマ特性および前記第２のガンマ特性のいずれとも異なる第３のガンマ特性を有する第３のガンマ曲線を用いることを特徴とする表示装置。
【請求項２】
前記第１のガンマ曲線上から任意に選択される階調に対応する相対輝度が、目標のガンマ特性を有する目標のガンマ曲線上の当該任意に選択される階調に対応する相対輝度よりも大きく、
前記第２のガンマ曲線上から任意に選択される階調に対応する相対輝度が、前記目標のガンマ曲線上の当該任意に選択される階調に対応する相対輝度よりも小さいことを特徴とする請求項１に記載の表示装置。
【請求項３】
前記第３のガンマ曲線上から任意に選択される階調に対応する相対輝度が、前記目標のガンマ曲線上の当該任意に選択される階調に対応する相対輝度よりも大きいことを特徴とする請求項２に記載の表示装置。
【請求項４】
前記第３のガンマ曲線上から任意に選択される階調に対応する相対輝度が、前記目標のガンマ曲線上の当該任意に選択される階調に対応する相対輝度よりも小さいことを特徴とする請求項２に記載の表示装置。
【請求項５】
前記第３のガンマ曲線は、ある階調において前記目標のガンマ曲線と交わっており、
前記第３のガンマ曲線上から任意に選択される、前記ある階調よりも小さい第１の階調に対応する相対輝度が、前記目標のガンマ曲線上の当該第１の階調に対応する相対輝度よりも小さく、
前記第３のガンマ曲線上から任意に選択される、前記ある階調よりも大きい第２の階調に対応する相対輝度が、前記目標のガンマ曲線上の当該第２の階調に対応する相対輝度よりも大きいことを特徴とする請求項２に記載の表示装置。
【請求項６】
前記第３のガンマ曲線は、ある階調において前記目標のガンマ曲線と交わっており、
前記第３のガンマ曲線上から任意に選択される、前記ある階調よりも小さい第１の階調に対応する相対輝度が、前記目標のガンマ曲線上の当該第１の階調に対応する相対輝度よりも大きく、
前記第３のガンマ曲線上から任意に選択される、前記ある階調よりも大きい第２の階調に対応する相対輝度が、前記目標のガンマ曲線上の当該第２の階調に対応する相対輝度よりも小さいことを特徴とする請求項２に記載の表示装置。
【請求項７】
前記第１のガンマ曲線上から任意に選択される階調に対応する相対輝度と、前記第２のガンマ曲線上の当該任意に選択される階調に対応する相対輝度と、前記第３のガンマ曲線上の当該任意に選択される階調に対応する相対輝度との平均が、前記目標のガンマ曲線上の当該任意に選択される階調に対応する相対輝度と等しいことを特徴とする請求項２〜６のいずれか１項に記載の表示装置。
【請求項８】
前記第３のガンマ曲線は、前記目標のガンマ曲線に等しいことを特徴とする請求項２に記載の表示装置。
【請求項９】
前記第１のガンマ曲線は、第１のある階調において前記目標のガンマ曲線と交わっており、
前記第１のガンマ曲線上から任意に選択される、前記第１のある階調よりも小さい第３の階調に対応する相対輝度が、前記目標のガンマ曲線上の当該第３の階調に対応する相対輝度よりも大きく、
前記第１のガンマ曲線上から任意に選択される、前記第１のある階調よりも大きい第４の階調に対応する相対輝度が、前記目標のガンマ曲線上の当該第４の階調に対応する相対輝度よりも小さく、
前記第２のガンマ曲線は、第２のある階調において前記目標のガンマ曲線と交わっており、
前記第２のガンマ曲線上から任意に選択される、前記第２のある階調よりも小さい第５の階調に対応する相対輝度が、前記目標のガンマ曲線上の当該第５の階調に対応する相対輝度よりも小さく、
前記第２のガンマ曲線上から任意に選択される、前記第２のある階調よりも大きい第６の階調に対応する相対輝度が、前記目標のガンマ曲線上の当該第６の階調に対応する相対輝度よりも大きく、
前記第３のガンマ曲線は、前記目標のガンマ曲線に等しいことを特徴とする請求項２に記載の表示装置。
【請求項１０】
前記第１のある階調と前記第２のある階調とが等しいことを特徴とする請求項９に記載の表示装置。
【請求項１１】
前記目標のガンマ特性は１．７以上２．７以下であることを特徴とする請求項８〜１０のいずれか１項に記載の表示装置。
【請求項１２】
前記目標のガンマ曲線は変曲点を１つ有する曲線であることを特徴とする請求項８〜１０のいずれか１項に記載の表示装置。
【請求項１３】
前記第１のガンマ曲線上から任意に選択される階調に対応する相対輝度と、前記第２のガンマ曲線上の当該任意に選択される階調に対応する相対輝度との平均が、前記目標のガンマ曲線上の当該任意に選択される階調に対応する相対輝度と等しいことを特徴とする請求項８〜１２のいずれか１項に記載の表示装置。
【請求項１４】
前記複数の画素から任意に選択される、三角形状に配置された３つの画素のうち、
いずれか一つは第１の原色の画素であり、
もう一つは前記第１の原色と異なる第２の原色の画素であり、
さらにもう一つは前記第１の原色および前記第２の原色と異なる第３の原色の画素であることを特徴とする請求項１〜１３のいずれか１項に記載の表示装置。
【請求項１５】
前記表示パネルの行方向に連続して並んだ前記第１の原色の画素、前記第２の原色の画素、および前記第３の原色の画素からなる画素群を一つの画素組としたとき、任意に選択される、前記表示パネルにおいて三角形状に配置された３つの前記画素組のうち、
いずれか一つに含まれる全ての画素は前記第１の画素群を構成し、
もう一つに含まれる全ての画素は前記第２の画素群を構成し、
さらにもう一つに含まれる全ての画素は前記第３の画素群を構成することを特徴とする請求項１４に記載の表示装置。
【請求項１６】
前記第１の画素群は、いずれも前記第１の原色の画素によって構成されており、
前記第２の画素群は、いずれも前記第２の原色の画素によって構成されており、
前記第３の画素群は、いずれも前記第３の原色の画素によって構成されていることを特徴とする請求項１４に記載の表示装置。
【請求項１７】
前記表示パネルの行方向に連続して並んだ前記第１の原色の画素、前記第２の原色の画素、および前記第３の原色の画素からなる画素群を一つの画素組としたとき、任意に選択される、前記表示パネルにおいて三角形状に配置された３つの前記画素組のうち、
いずれか一つに含まれる前記第１の原色の画素は前記第１の画素群を構成し、
もう一つに含まれる前記第１の原色の画素は前記第２の画素群を構成し、
さらにもう一つに含まれる前記第１の原色の画素は前記第３の画素群を構成し、
前記駆動回路は、前記第２の原色の画素および前記第３の原色の画素を駆動する際、目標のガンマ特性を有する目標のガンマ曲線を使用することを特徴とする請求項１４に記載の表示装置。
【請求項１８】
前記表示パネルの行方向に連続して並んだ前記第１の原色の画素、前記第２の原色の画素、および前記第３の原色の画素からなる画素群を一つの画素組としたとき、任意に選択される、前記表示パネルにおいて三角形状に配置された３つの前記画素組のうち、
いずれか一つに含まれる前記第１の原色の画素および前記第２の原色の画素は前記第１の画素群を構成し、
もう一つに含まれる前記第１の原色の画素および前記第２の原色の画素は前記第２の画素群を構成し、
さらにもう一つに含まれる前記第１の原色の画素および前記第２の原色の画素は前記第３の画素群を構成し、
前記駆動回路は、前記第３の原色の画素を駆動する際、目標のガンマ特性を有する目標のガンマ曲線を使用することを特徴とする請求項１４に記載の表示装置。
【請求項１９】
前記表示パネルの行方向に連続して並んだ前記第１の原色の画素、前記第２の原色の画素、および前記第３の原色の画素からなる画素群を一つの画素組としたとき、任意に選択される、前記表示パネルにおいて三角形状に配置された３つの前記画素組のうち、
いずれか一つに含まれる３つの画素のうち、前記第１の原色の画素および前記第２の原色の画素は前記第１の画素群を構成し、かつ前記第３の原色の画素は前記第３の画素群を構成し、
もう一つに含まれる３つの画素のうち、前記第１の原色の画素および前記第２の原色の画素は前記第２の画素群を構成し、かつ前記第３の原色の画素は前記第１の画素群を構成し、
さらにもう一つに含まれる３つの画素のうち、前記第１の原色の画素および前記第２の原色の画素は前記第３の画素群を構成し、かつ前記第３の原色の画素は前記第２の画素群を構成することを特徴とする請求項１４に記載の表示装置。
【請求項２０】
前記複数の画素から任意に選択される、三角形状に配置された３つの画素のうち、いずれか一つは前記第１の画素群を構成し、もう一つは前記第２の画素群を構成し、さらにもう一つは前記第３の画素群を構成することを特徴とする請求項１〜１４のいずれか１項に記載の表示装置。
【請求項２１】
前記表示パネルにおいて、前記第１の画素群を構成する第１の画素と前記第２の画素群を構成する第２の画素とが交互に配置された第１の画素行と、前記第３の画素群を構成する第３の画素のみが配置された第２の画素行とが交互に配置されていることを特徴とする請求項８〜１３のいずれか１項に記載の表示装置。
【請求項２２】
任意に選択される前記第２の画素行の一つ前に配置された前記第１の画素行において、ある列に前記第１の画素が配置され、かつ、当該ある列の次の列に前記第２の画素が配置されており、
前記任意の第２の画素行の一つ次に配置された前記第１の画素行において、前記ある列に前記第１の画素が配置され、かつ、前記次の列に前記第２の画素が配置されていることを特徴とする請求項２１に記載の表示装置。
【請求項２３】
任意に選択される前記第２の画素行の一つ前に配置された前記第１の画素行において、ある列に前記第１の画素が配置され、かつ、当該ある列の次の列に前記第２の画素が配置されており、
前記任意の第２の画素行の一つ次に配置された前記第１の画素行において、前記ある列に前記第２の画素が配置され、かつ、前記次の列に前記第１の画素が配置されていることを特徴とする請求項２１に記載の表示装置。
【請求項２４】
前記駆動回路は、前記複数の画素のそれぞれを駆動する際、
あるフレームにおいて前記第１のガンマ曲線を用いた場合は、次のフレームにおいて前記第２のガンマ曲線を用い、かつ、
前記あるフレームにおいて前記第２のガンマ曲線を用いた場合は、前記次のフレームにおいて前記第３のガンマ曲線を用い、かつ、
前記あるフレームにおいて前記第３のガンマ曲線を用いた場合は、前記次のフレームにおいて前記第１のガンマ曲線を用いることを特徴とする請求項２０に記載の表示装置。
【請求項２５】
前記駆動回路は、前記複数の画素のそれぞれを駆動する際、
あるフレームにおいて前記第１のガンマ曲線を用いた場合は、次のフレームにおいて前記第３のガンマ曲線を用い、かつ、
前記あるフレームにおいて前記第２のガンマ曲線を用いた場合は、前記次のフレームにおいて前記第１のガンマ曲線を用い、かつ、
前記あるフレームにおいて前記第３のガンマ曲線を用いた場合は、前記次のフレームにおいて前記第２のガンマ曲線を用いることを特徴とする請求項２０に記載の表示装置。
【請求項２６】
前記駆動回路は、前記複数の画素のそれぞれを駆動する際、
あるフレームにおいて前記第１のガンマ曲線を用いた場合は、次のフレームにおいて前記第２のガンマ曲線を用い、かつ、
前記あるフレームにおいて前記第２のガンマ曲線を用いた場合は、前記次のフレームにおいて前記第１のガンマ曲線を用い、かつ、
前記あるフレームにおいて前記第３のガンマ曲線を用いた場合は、前記次のフレームにおいて前記第３のガンマ曲線を用いることを特徴とする請求項２０〜２３のいずれか１項に記載の表示装置。
【請求項２７】
前記駆動回路は、前記複数の画素のそれぞれを駆動する際、
あるフレームにおいて前記第１のガンマ曲線または前記第２のガンマ曲線を用いた場合は、次のフレームにおいて前記第３のガンマ曲線を用い、かつ、
前記あるフレームにおいて前記第３のガンマ曲線を用いるとともに、前のフレームにおいて前記第１のガンマ曲線を用いた場合は、前記次のフレームにおいて前記第１のガンマ曲線を用い、かつ、
前記あるフレームにおいて前記第３のガンマ曲線を用いるとともに、前記前のフレームにおいて前記第２のガンマ曲線を用いた場合は、前記次のフレームにおいて前記第２のガンマ曲線を用いることを特徴とすることを特徴とする請求項２２または２３に記載の表示装置。
【請求項２８】
前記駆動回路は、前記複数の画素のそれぞれを駆動する際、
あるフレームにおいて前記第１のガンマ曲線または前記第２のガンマ曲線を用いた場合は、次のフレームにおいて前記第３のガンマ曲線を用い、かつ、
前記あるフレームにおいて前記第３のガンマ曲線を用いるとともに、前のフレームにおいて前記第１のガンマ曲線を用いた場合は、前記次のフレームにおいて前記第２のガンマ曲線を用い、かつ、
前記あるフレームにおいて前記第３のガンマ曲線を用いるとともに、前記前のフレームにおいて前記第２のガンマ曲線を用いた場合は、前記次のフレームにおいて前記第１のガンマ曲線を用いることを特徴とする請求項２２または２３に記載の表示装置。
【請求項２９】
前記駆動回路は、前記表示装置に画像信号が入力されるフレーム周波数よりも高いフレーム周波数によって、前記表示パネルを駆動することを特徴とする請求項２４〜２８のいずれか１項に記載の表示装置。
【請求項３０】
前記駆動回路は、前記表示装置に画像信号が入力されるフレーム周波数の３倍±１０％のフレーム周波数によって、前記表示パネルを駆動することを特徴とする請求項２４〜２８のいずれか１項に記載の表示装置。
【請求項３１】
前記駆動回路は、前記表示装置に画像信号が入力されるフレーム周波数の２倍±１０％のフレーム周波数によって、前記表示パネルを駆動することを特徴とする請求項２４〜２８のいずれか１項に記載の表示装置。
【請求項３２】
前記表示装置がＮＴＳＣ規格に従う入力インタフェースを備えており、かつ、当該入力インタフェースを通じて画像信号が入力されている場合、前記駆動回路は、６０Ｈｚよりも高いフレーム周波数によって、前記表示パネルを駆動することを特徴とする請求項２４〜２８のいずれか１項に記載の表示装置。
【請求項３３】
前記表示装置がＮＴＳＣ規格に従う入力インタフェースを備えており、かつ、当該入力インタフェースを通じて画像信号が入力されている場合、前記駆動回路は、１８０Ｈｚ±１０％のフレーム周波数によって、前記表示パネルを駆動することを特徴とする請求項２４または２５に記載の表示装置。
【請求項３４】
前記表示装置がＮＴＳＣ規格に従う入力インタフェースを備えており、かつ、当該入力インタフェースを通じて画像信号が入力されている場合、前記駆動回路は、１２０Ｈｚ±１０％のフレーム周波数によって、前記表示パネルを駆動することを特徴とする請求項２６〜２８のいずれか１項に記載の表示装置。
【請求項３５】
前記表示装置がＰＡＬ規格に従う入力インタフェースを備えており、かつ、当該入力インタフェースを通じて画像信号が入力されている場合、前記駆動回路は、５０Ｈｚよりも高いフレーム周波数によって、前記表示パネルを駆動することを特徴とする請求項２４〜２８のいずれか１項に記載の表示装置。
【請求項３６】
前記表示装置がＰＡＬ規格に従う入力インタフェースを備えており、かつ、当該入力インタフェースを通じて画像信号が入力されている場合、前記駆動回路は、１５０Ｈｚ±１０％のフレーム周波数によって、前記表示パネルを駆動することを特徴とする請求項２４または２５に記載の表示装置。
【請求項３７】
前記表示装置がＰＡＬ規格に従う入力インタフェースを備えており、かつ、当該入力インタフェースを通じて画像信号が入力されている場合、前記駆動回路は、１００Ｈｚ±１０％のフレーム周波数によって、前記表示パネルを駆動することを特徴とする請求項２６〜２８のいずれか１項に記載の表示装置。
【請求項３８】
前記表示パネルにおける画素の密度が１４０ｐｐｉ以上であることを特徴とする請求項１〜３７のいずれか１項に記載の表示装置。
【請求項３９】
前記表示パネルは、２３万個以上の画素を有するものであることを特徴とする請求項１〜３８のいずれか１項に記載の表示装置。
【発明の詳細な説明】
【技術分野】
【０００１】
本発明は、デルタ状に配列された複数の画素を有する表示パネルを備えた表示装置に関する。
【背景技術】
【０００２】
液晶表示装置などを構成する表示パネルにおいては、視野角を向上させるため、表示パネルを斜めから見たとき（斜視時）の視認性を向上させるための技術が求められている。【０００３】
特許文献１には、第１の画素群と第２の画素群とを含む多数の画素を含む液晶パネルと、この第１の画素群及び第２の画素群に、相異なるガンマ定数に対応する第１のデータ信号及び第２のデータ信号に該当する階調電圧をそれぞれ提供するデータ駆動部とを含む液晶表示装置が記載されている。
【先行技術文献】
【特許文献】
【０００４】
【特許文献１】日本国公開特許公報「特開２００５−３５２４８３号公報（２００５年１２月２２日公開）」
【発明の概要】
【発明が解決しようとする課題】
【０００５】
上述した特許文献１に記載された方法を用いて画素を駆動する場合の例について以下に説明する。【０００６】
図２１は、従来の方法において画素を駆動する場合の階調と相対輝度との関係を示すグラフである。図２１に示す例によれば、第１の画素群と第２の画素群とは、相異なるガンマ特性γ１’およびγ２’のそれぞれを有するガンマ曲線Ｆ１およびＦ２に基づいて、それぞれ駆動される。ガンマ曲線Ｆ１は、標準のガンマ定数によるガンマ曲線Ｆ４に対して、各階調に対応する相対輝度が大きいものであり、ガンマ曲線Ｆ２は、ガンマ曲線Ｆ４に対して、各階調に対応する相対輝度が小さいものである。【０００７】
ところで、デジタルカメラなどに搭載される表示装置には、デルタ状に配列された画素を有する表示パネルが用いられている。これにより、ストライプ状配列の画素を有する表示パネルでは階段状の表示となる映像を、滑らかな表示とすることができるため、映像を良好に表示することができるものである。しかし、このような表示パネルを、上述した従来の方法により駆動する場合には、画素同士のガンマ特性の補償が困難になり、視野角改善効果が小さくなるという問題が生じる。【０００８】
図２２は、従来の方法によりデルタ状に配列された画素２１０を駆動した場合の表示パネル２００を示す図である。図２２に示す例では、横方向（行方向）に隣接する画素２１０を、図２１に示すようなガンマ特性γ１’と、ガンマ特性γ２’とのそれぞれにより交互に駆動する。しかし、この方法では、縦方向（列方向）に隣接する画素２１０については、異なるガンマ定数により交互に駆動できない部分が生じる。したがって、図２２に示すように、鋸歯状の明るい縦線Ａ１（以下、「明線」ともいう。）および暗い縦線Ａ２（以下、「暗線」ともいう。）が表示されてしまう。また、縦方向において画素２１０同士でガンマ特性を補償する効果が薄まり、視野角の改善効果が薄まってしまう。【０００９】
本発明は、上記の従来技術が有する問題に鑑みてなされたものであり、その目的は、デルタ状に配列された画素を有する表示パネルを備えた表示装置において、視野角を広くすることができる表示装置を提供することにある。
【課題を解決するための手段】
【００１０】
上記の課題を解決するために、本発明に係る表示装置は、デルタ状に配列された複数の画素を有する表示パネルと、前記複数の画素を駆動する駆動回路とを備えた表示装置であって、前記複数の画素は、互いに配置位置が異なる第１の画素群、第２の画素群、および第３の画素群に分かれており、前記駆動回路は、前記第１の画素群を駆動する際、第１のガンマ特性を有する第１のガンマ曲線を用い、かつ、前記第２の画素群を駆動する際、前記第１のガンマ特性と異なる第２のガンマ特性を有する第２のガンマ曲線を用い、かつ、前記第３の画素群を駆動する際、前記第１のガンマ特性および前記第２のガンマ特性のいずれとも異なる第３のガンマ特性を有する第３のガンマ曲線を用いることを特徴とする。【００１１】
上記の構成であれば、画素がデルタ状に配列されているので、映像を滑らかに表示することができる。また、３つの互いに異なるガンマ特性をそれぞれ有する３つのガンマ曲線を、互いに配置位置が異なる３つの画素群のそれぞれの駆動に用いるので、画素群同士のガンマ特性が補償されることにより、斜視時の視認性が良好になるため、視野角を広くすることができる。
【発明の効果】
【００１２】
本発明に係る表示装置は、以上のように、デルタ状に配列された複数の画素を有する表示パネルと、前記複数の画素を駆動する駆動回路とを備えた表示装置であって、前記複数の画素は、互いに配置位置が異なる第１の画素群、第２の画素群、および第３の画素群に分かれており、前記駆動回路は、前記第１の画素群を駆動する際、第１のガンマ特性を有する第１のガンマ曲線を用い、かつ、前記第２の画素群を駆動する際、前記第１のガンマ特性と異なる第２のガンマ特性を有する第２のガンマ曲線を用い、かつ、前記第３の画素群を駆動する際、前記第１のガンマ特性および前記第２のガンマ特性のいずれとも異なる第３のガンマ特性を有する第３のガンマ曲線を用いるので、視野角を広くすることができる。【００１３】
本発明の他の目的、特徴、及び優れた点は、以下に示す記載によって十分分かるであろう。また、本発明の利点は、添付図面を参照した次の説明で明白になるであろう。
【図面の簡単な説明】
【００１４】
【図１】本発明の一実施形態における表示装置を模式的に示す図面である。
【図２】本発明の一実施形態における駆動回路が用いるガンマ曲線の一例を示すグラフである。
【図３】本発明の一実施形態における駆動回路が用いるガンマ曲線の他の例を示すグラフである。
【図４】本発明の一実施形態における駆動回路が用いるガンマ曲線の他の例を示すグラフである。
【図５】本発明の一実施形態における駆動回路が用いるガンマ曲線の他の例を示すグラフである。
【図６】本発明の一実施形態における駆動回路が用いるガンマ曲線の他の例を示すグラフである。
【図７】本発明の一実施形態における画素群の配置についての一例を示す図である。
【図８】本発明の一実施形態における画素群の配置についての他の例を示す図である。
【図９】本発明の一実施形態における画素群の配置についての他の例を示す図である。
【図１０】本発明の一実施形態における画素群の配置についての他の例を示す図である。
【図１１】本発明の一実施形態における画素群の配置の振り分けパターンについての一例を示す図である。
【図１２】本発明の一実施形態における画素群の配置の振り分けパターンについての他の例を示す図である。
【図１３】本発明の一実施形態における画素群の配置の振り分けパターンについての他の例を示す図である。
【図１４】図１４の（ａ）〜（ｃ）は、本発明の一実施形態における画素群の配置をフレーム毎に切り替える場合の一例を示す図であり、図１４の（ａ）は、フレームＦｎにおける配置を示す図であり、図１４の（ｂ）は、フレームＦｎ＋１における画素群の配置を示す図であり、図１４の（ｃ）は、フレームＦｎ＋２における画素群の配置を示す図である。
【図１５】図１５の（ａ）〜（ｃ）は、本発明の一実施形態における画素群の配置をフレーム毎に切り替える場合の他の例を示す図であり、図１５の（ａ）は、フレームＦｎにおける配置を示す図であり、図１５の（ｂ）は、フレームＦｎ＋１における画素群の配置を示す図であり、図１５の（ｃ）は、フレームＦｎ＋２における画素群の配置を示す図である。
【図１６】図１６の（ａ）〜（ｃ）は、本発明の一実施形態における画素群の配置をフレーム毎に切り替える場合の他の例を示す図であり、図１６の（ａ）は、フレームＦｎにおける配置を示す図であり、図１６の（ｂ）は、フレームＦｎ＋１における画素群の配置を示す図であり、図１６の（ｃ）は、フレームＦｎ＋２における画素群の配置を示す図である。
【図１７】図１７の（ａ）〜（ｃ）は、本発明の一実施形態における画素群の配置をフレーム毎に切り替える場合の他の例を示す図であり、図１７の（ａ）は、フレームＦｎにおける配置を示す図であり、図１７の（ｂ）は、フレームＦｎ＋１における画素群の配置を示す図であり、図１７の（ｃ）は、フレームＦｎ＋２における画素群の配置を示す図である。
【図１８】図１８の（ａ）〜（ｃ）は、本発明の一実施形態における画素群の配置をフレーム毎に切り替える場合の他の例を示す図であり、図１８の（ａ）は、フレームＦｎにおける配置を示す図であり、図１８の（ｂ）は、フレームＦｎ＋１における画素群の配置を示す図であり、図１８の（ｃ）は、フレームＦｎ＋２における画素群の配置を示す図である。
【図１９】図１９の（ａ）〜（ｅ）は、本発明の一実施形態における画素群の配置をフレーム毎に切り替える場合の他の例を示す図であり、図１９の（ａ）は、フレームＦｎにおける配置を示す図であり、図１９の（ｂ）は、フレームＦｎ＋１における画素群の配置を示す図であり、図１９の（ｃ）は、フレームＦｎ＋２における画素群の配置を示す図であり、図１９の（ｄ）は、フレームＦｎ＋３における画素群の配置を示す図であり、図１９の（ｅ）は、フレームＦｎ＋４における画素群の配置を示す図である。
【図２０】図２０の（ａ）〜（ｃ）は、本発明の一実施形態における画素群の配置をフレーム毎に切り替える場合の他の例を示す図であり、図２０の（ａ）は、フレームＦｎにおける配置を示す図であり、図２０の（ｂ）は、フレームＦｎ＋１における画素群の配置を示す図であり、図２０の（ｃ）は、フレームＦｎ＋２における画素群の配置を示す図である。
【図２１】従来の方法において画素を駆動する場合の階調と相対輝度との関係を示すグラフである。
【図２２】従来の方法によりデルタ状に配列された画素を駆動した場合の表示パネルを示す図である。
【発明を実施するための形態】
【００１５】
以下、本発明の一実施形態について、詳細に説明する。図１は、本発明の一実施形態における表示装置を模式的に示す図面である。本実施形態に係る表示装置１００は、表示パネル１と、ゲートドライバ２（駆動回路）と、ソースドライバ３（駆動回路）とを備えている。
【００１６】
表示パネル１は、デルタ状に配列された複数の画素１０を有している。すなわち、画素１０は、走査線毎に１／２ピッチ分ずつずれて配列されている。これにより、映像を滑らかに表示することができる。なお、図１には、理解を容易にするために、画素行Ｒ１〜Ｒ８において、画素列Ｌ１〜Ｌ９に配列された画素１０のみについて示す。
【００１７】
表示パネル１における画素１０の密度、すなわち解像度は、１４０ｐｐｉ以上であることが好ましい。また、表示パネル１は、２３万個以上の画素１０を有するものであることが好ましく、特に４６万個の画素１０を有するものであることがより好ましい。これらの構成により、目で見た際に感じる解像度の低下（以下、「解像度感の劣化」ともいう。）を軽減できるとともに、複数の画素１０同士のガンマ特性が効果的に補償されるので、視野角を広くすることができる。
【００１８】
複数の画素１０は、互いに配置位置が異なる第１の画素群、第２の画素群、および第３の画素群に分かれている。なお、各図面において、第１の画素群を構成する画素１０にγ１を付し、第２の画素群を構成する画素１０にγ２を付し、第３の画素群を構成する画素１０にγ３を付している。それぞれの画素群の配置位置については後述する。
【００１９】
ゲートドライバ２およびソースドライバ３は、複数の画素１０を駆動する回路である。ゲートドライバ２は、それぞれの画素１０を駆動するタイミングを決める信号を伝達する。ソースドライバ３は、ソースドライバ３に入力された映像データにおける階調（入力階調）を、各画素１０が出力する相対輝度（出力相対輝度）を表す電圧に変換して各画素１０に出力する。ソースドライバ３は、階調と相対輝度との関係が、各画素１０に対応するガンマ曲線を満たすように、階調を電圧に変換する。すなわちソースドライバ３は、当該ガンマ曲線を用いて、画素１０を駆動する。
【００２０】
ソースドライバ３は、第１の画素群を駆動する際には、ガンマ特性γ１（第１のガンマ特性）を有するガンマ曲線Ｃ１（第１のガンマ曲線）を用い、第２の画素群を駆動する際には、ガンマ特性γ２（第２のガンマ特性）を有するガンマ曲線Ｃ２（第２のガンマ曲線）を用い、第３の画素群を駆動する際には、ガンマ特性γ３（第３のガンマ特性）を有するガンマ曲線Ｃ３（第３のガンマ曲線）を用いる。すなわち、３つの画素群に対して３種類のガンマ特性γ１、γ２、γ３を割り当てて駆動する。
【００２１】
ガンマ特性γ２は、ガンマ特性γ１と異なっており、ガンマ特性γ３は、ガンマ特性γ１およびガンマ特性γ２のいずれとも異なっている。
【００２２】
上述した構成により、３つの互いに異なるガンマ特性γ１、γ２、γ３をそれぞれ有する３つのガンマ曲線Ｃ１、Ｃ２、Ｃ３を、互いに配置位置が異なる３つの画素群のそれぞれの駆動に用いるので、画素群同士のガンマ特性が補償されることにより、表示パネル１における斜視時の視認性が良好になるため、視野角を向上させることができる。
【００２３】
以下に、ガンマ曲線Ｃ１、Ｃ２、Ｃ３の例について図２〜図６を参照して説明する。
【００２４】
（ガンマ曲線の例１）
図２は、本発明の一実施形態における駆動回路が用いるガンマ曲線の一例を示すグラフである。
【００２５】
ガンマ曲線の例１では、図２に示すように、ガンマ曲線Ｃ１は、ガンマ曲線Ｃ１上から任意に選択される入力階調（以下、「階調」と略す。）に対応する出力相対輝度（以下、「相対輝度」と略す。）が、目標のガンマ特性γ０を有する目標のガンマ曲線Ｃ０上の当該階調に対応する相対輝度よりも大きい。また、ガンマ曲線Ｃ２は、ガンマ曲線Ｃ２上から任意に選択される階調に対応する相対輝度が、目標のガンマ曲線Ｃ０上の当該階調に対応する相対輝度よりも小さい。これにより、第１の画素群と第２の画素群とにおけるガンマ特性γ１、γ２が効果的に補償されることとなり、視野角をより広くすることができる。
【００２６】
また、ガンマ曲線Ｃ３は、ガンマ曲線Ｃ３上から任意に選択される階調に対応する相対輝度が、目標のガンマ曲線Ｃ０上の当該階調に対応する相対輝度よりも小さい。すなわち、第３の画素群が出力する相対輝度は、いずれの階調においても目標の相対輝度に対して小さい。
【００２７】
本明細書中において、目標のガンマ特性γ０を有する目標のガンマ曲線Ｃ０とは、表示パネル１が有する全ての画素１０を同じガンマ曲線により駆動する場合に用いるガンマ曲線であり、例えば、表示装置１００の特性等に基づいて一般的な方法により、正面からの視認性が良好となるように導出されるガンマ曲線であってもよい。
【００２８】
なお、「ガンマ曲線の例１」〜「ガンマ曲線の例５」においては、ガンマ曲線Ｃ１上から任意に選択される階調に対応する相対輝度と、ガンマ曲線Ｃ２上の当該任意に選択される階調に対応する相対輝度と、ガンマ曲線Ｃ３上の当該任意に選択される階調に対応する相対輝度との平均が、目標のガンマ曲線Ｃ０上の当該任意に選択される階調に対応する相対輝度と等しいことが好ましい。
【００２９】
（ガンマ曲線の例２）
図３は、本発明の一実施形態における駆動回路が用いるガンマ曲線の他の例を示すグラフである。なお、ここでは、主に「ガンマ曲線の例１」と異なる点について説明するものとし、説明の便宜上、「ガンマ曲線の例１」と同様の機能を有する構成要素には同一の番号を付してその説明を省略する。以下、「ガンマ曲線の例３」〜「ガンマ曲線の例５」についても同様とする。
【００３０】
ガンマ曲線の例２では、ガンマ曲線Ｃ３は、ガンマ曲線Ｃ３上から任意に選択される階調に対応する相対輝度が、目標のガンマ曲線Ｃ０上の当該任意に選択される階調に対応する相対輝度よりも大きい。すなわち、第３の画素群が出力する相対輝度は、いずれの階調においても目標の輝度に対して大きい。
【００３１】
（ガンマ曲線の例３）
図４は、本発明の一実施形態における駆動回路が用いるガンマ曲線の他の例を示すグラフである。
【００３２】
ガンマ曲線の例３では、ガンマ曲線Ｃ３は、目標のガンマ曲線Ｃ０と等しい。すなわち、第３の画素群は、目標のガンマ曲線に等しい第３のガンマ曲線を用いて駆動されることとなる。
【００３３】
ここで、本明細書中において２つのガンマ曲線が「等しい」とは、実質的に同一であればよい。
【００３４】
なお、この例において、ガンマ曲線Ｃ１は、ある階調（第１のある階調）において目標のガンマ曲線Ｃ０と交わっていてもよい。この場合には、例えば、ガンマ曲線Ｃ１上から任意に選択される、当該ある階調よりも小さい階調（第３の階調）に対応する相対輝度が、目標のガンマ曲線Ｃ０上の当該階調に対応する相対輝度よりも大きくてもよい。また、ガンマ曲線Ｃ１上から任意に選択される、当該ある階調よりも大きい階調（第４の階調）に対応する相対輝度が、目標のガンマ曲線Ｃ０上の当該階調に対応する相対輝度よりも小さくてもよい。この構成であれば、第１の画素群が出力する相対輝度は、低い階調においては目標の相対輝度よりも大きく、高い階調においては目標の相対輝度よりも小さくなる。
【００３５】
また、ガンマ曲線Ｃ２は、ある階調（第２のある階調）において目標のガンマ曲線Ｃ０と交わっていてもよい。この場合には、例えば、ガンマ曲線Ｃ２上から任意に選択される、当該ある階調よりも小さい階調（第５の階調）に対応する相対輝度が、目標のガンマ曲線Ｃ０上の当該階調に対応する相対輝度よりも小さくてもよい。また、ガンマ曲線Ｃ２上から任意に選択される、当該ある階調よりも大きい階調（第６の階調）に対応する相対輝度が、目標のガンマ曲線Ｃ０上の当該階調に対応する相対輝度よりも大きくてもよい。この構成であれば、第２の画素群が出力する相対輝度は、低い階調においては目標の相対輝度よりも小さく、高い階調においては目標の相対輝度よりも大きくなる。
【００３６】
また、ガンマ曲線Ｃ１が目標のガンマ曲線Ｃ０と交わる階調（第１のある階調）と、ガンマ曲線Ｃ２が目標のガンマ曲線Ｃ０と交わる階調（第２のある階調）とが等しくてもよい。
【００３７】
この構成により、第１の画素群と第２の画素群とにおけるガンマ特性が互いに補償しあうこととなり、斜視時の視認性を良好にし、視野角を広くすることができる。
【００３８】
なお、目標のガンマ特性γ０は、１．７以上２．７以下であることが好ましい。
【００３９】
また、目標のガンマ曲線Ｃ０は変曲点を１つ有する曲線であってもよい。これにより、自然画でよく使用される中間階調領域の階調−輝度特性を急峻に変化させるため、目で見た際に感じるコントラスト（コントラスト感）を高めることができる。
【００４０】
また、ガンマ曲線Ｃ１上から任意に選択される階調に対応する相対輝度と、ガンマ曲線Ｃ２上の当該任意に選択される階調に対応する相対輝度との平均が、目標のガンマ曲線Ｃ０上の当該任意に選択される階調に対応する相対輝度と等しいことが好ましい。これにより、第１の画素群および第２の画素群の各ガンマ特性がより効果的に補償しあうので、視認性をより良好にすることができる。
【００４１】
（ガンマ曲線の例４）
図５は、本発明の一実施形態における駆動回路が用いるガンマ曲線の他の例を示すグラフである。
【００４２】
ガンマ曲線の例４では、ガンマ曲線Ｃ３は、ある階調において目標のガンマ曲線Ｃ０と交わっている。また、ガンマ曲線Ｃ３上から任意に選択される、当該ある階調よりも小さい階調（第１の階調）に対応する相対輝度が、目標のガンマ曲線Ｃ０上の当該階調に対応する相対輝度よりも小さい。さらに、ガンマ曲線Ｃ３上から任意に選択される、当該ある階調よりも大きい階調（第２の階調）に対応する相対輝度が、目標のガンマ曲線Ｃ０上の当該階調に対応する相対輝度よりも大きい。すなわち、第３の画素群が出力する相対輝度は、低い階調においては目標の相対輝度よりも小さく、高い階調においては目標の相対輝度よりも大きくなる。
【００４３】
（ガンマ曲線の例５）
図６は、本発明の一実施形態における駆動回路が用いるガンマ曲線の他の例を示すグラフである。
【００４４】
ガンマ曲線の例５では、ガンマ曲線Ｃ３は、ある階調において目標のガンマ曲線Ｃ０と交わっている。また、ガンマ曲線Ｃ３上から任意に選択される、当該ある階調よりも小さい階調（第１の階調）に対応する相対輝度が、目標のガンマ曲線Ｃ０上の当該階調に対応する相対輝度よりも大きい。さらに、ガンマ曲線Ｃ３上から任意に選択される、当該ある階調よりも大きい階調（第２の階調）に対応する相対輝度が、目標のガンマ曲線Ｃ０上の当該階調に対応する相対輝度よりも小さい。すなわち、第３の画素群が出力する相対輝度は、低い階調においては目標の相対輝度よりも大きく、高い階調においては目標の相対輝度よりも小さくなる。
【００４５】
なお、表示装置１００は、上述した「ガンマ曲線の例１〜５」を互いに切り替え可能に構成されていてもよい。
【００４６】
次に、第１の画素群、第２の画素群および第３の画素群の配置位置の例について、図７〜図１３を参照して説明する。
【００４７】
まず、画素の色に基づいて第１の画素群、第２の画素群および第３の画素群を配置する場合の例について、以下に説明する。
【００４８】
（色に基づく配置の例１）
図７は、本発明の一実施形態における画素群の配置についての一例を示す図である。
【００４９】
色に基づく配置の例１では、図７に示すように、任意に選択される三角形状に配置された３つの画素１０のうち、いずれか一つは赤色Ｒ（第１の原色）の画素１０Ａ（第１の原色の画素）であり、もう一つは緑色Ｇ（第２の原色）の画素１０Ｂ（第２の原色の画素）であり、さらにもう一つは青色Ｂ（第３の原色）の画素１０Ｃ（第３の原色の画素）である。これにより、赤色Ｒの画素１０Ａ、緑色Ｇの画素１０Ｂ、および青色Ｂの画素１０Ｃが互い違いに配置される。以下の「色に基づく配置の例２」〜「色に基づく配置の例４」においても同様である。
【００５０】
ここで、表示パネル１の行方向に連続して並んだ赤色Ｒの画素１０Ａ、緑色Ｇの画素１０Ｂ、および青色Ｂの画素１０Ｃからなる画素群を一つの画素組２０とする。色に基づく配置の例１では、任意に選択される、表示パネル１において三角形状に配置された３つの画素組２０のうち、いずれか一つは第１の画素群を構成し、もう一つは第２の画素群を構成し、さらにもう一つの画素は第３の画素群を構成する。これにより、ＲＧＢを有する画素組２０毎に、第１の画素群、第２の画素群、および第３の画素群が互い違いに配置される。
【００５１】
なお、「色に基づく配置の例１」〜「色に基づく配置の例４」において、ゲートドライバ２およびソースドライバ３は、第１の画素群、第２の画素群および第３の画素群のそれぞれを駆動するガンマ曲線Ｃ１、Ｃ２、Ｃ３として、上述したガンマ曲線の例のいずれを用いてもよい。
【００５２】
（色に基づく配置の例２）
図８は、本発明の一実施形態における画素群の配置についての他の例を示す図である。なお、ここでは、主に「色に基づく配置の例１」と異なる点について説明するものとし、説明の便宜上、「色に基づく配置の例１」と同様の機能を有する構成要素には同一の番号を付してその説明を省略する。以下、「色に基づく配置の例３」および「色に基づく配置の例４」についても同様とする。
【００５３】
色に基づく配置の例２では、第１の画素群は、いずれも赤色Ｒの画素１０Ａによって構成されている。また、第２の画素群は、いずれも緑色Ｇの画素１０Ｂによって構成されている。さらに、第３の画素群は、いずれも青色Ｂの画素１０Ｃによって構成されている。これにより、単色画素毎に、第１の画素群、第２の画素群、および第３の画素群が互い違いに配置される。
【００５４】
なお、上述した３つの画素群と、３つの原色の画素との組み合わせは、上述したものには限られず、考え得る種々の組み合わせを用いることができる。
【００５５】
（色に基づく配置の例３）
図９は、本発明の一実施形態における画素群の配置についての他の例を示す図である。
【００５６】
色に基づく配置の例３では、任意に選択される、表示パネル１において三角形状に配置された３つの画素組２０のうち、いずれか一つに含まれる赤色Ｒの画素１０Ａは第１の画素群を構成し、もう一つに含まれる赤色Ｒの画素１０Ａは第２の画素群を構成し、さらにもう一つの画素組２０に含まれる赤色Ｒの画素１０Ａは第３の画素群を構成する。これにより、画素組２０毎に赤色Ｒの画素１０Ａに、第１の画素群、第２の画素群、および第３の画素群が互い違いに配置される。
【００５７】
また、ゲートドライバ２およびソースドライバ３は、緑色Ｇの画素１０Ｂおよび青色Ｂの画素１０Ｃを駆動する際、目標のガンマ特性γ０を有する目標のガンマ曲線Ｃ０を使用する。
【００５８】
すなわち、ＲＧＢの３つの単色画素のうち、１つの単色画素毎に、第１の画素群、第２の画素群、および第３の画素群が互い違いに配置される。
【００５９】
なお、ゲートドライバ２およびソースドライバ３は、ガンマ曲線Ｃ１、Ｃ２、Ｃ３の全てが目標のガンマ曲線Ｃ０と異なる場合には、ガンマ曲線Ｃ１、Ｃ２、Ｃ３および目標のガンマ曲線Ｃ０の４つのガンマ曲線を使用して画素１０を駆動することとなる。
【００６０】
ここでは、赤色Ｒの画素１０Ａ毎に、第１の画素群、第２の画素群および第３の画素群が互い違いに配置される例について説明したが、これに限らず、緑色Ｇの画素１０Ｂ毎、または青色Ｂの画素１０Ｃ毎に互い違いに配置されてもよい。
【００６１】
また、２つの単色画素毎に、第１の画素群、第２の画素群、および第３の画素群が互い違いに配置されてもよい。
【００６２】
例えば、上述した形態の変形例として、任意に選択される、表示パネル１において三角形状に配置された３つの画素組２０のうち、いずれか一つに含まれる赤色Ｒの画素１０Ａおよび緑色Ｇの画素１０Ｂは第１の画素群を構成し、もう一つに含まれる赤色Ｒの画素１０Ａおよび緑色Ｇの画素１０Ｂは第２の画素群を構成し、さらにもう一つに含まれる赤色Ｒの画素１０Ａおよび緑色Ｇの画素１０Ｂは第３の画素群を構成してもよい。これにより、画素組２０毎に赤色Ｒの画素１０Ａおよび緑色Ｇの画素１０Ｂに、第１の画素群、第２の画素群、および第３の画素群が互い違いに配置される。
【００６３】
この場合には、ゲートドライバ２およびソースドライバ３は、青色Ｂの画素１０Ｃを駆動する際、目標のガンマ特性γ０を有する目標のガンマ曲線Ｃ０を使用してもよい。
【００６４】
（色に基づく配置の例４）
図１０は、本発明の一実施形態における画素群の配置についての他の例を示す図である。
【００６５】
色に基づく配置の例４では、任意に選択される、表示パネル１において三角形状に配置された３つの画素組２０のうち、いずれか一つに含まれる３つの画素１０のうち、赤色Ｒの画素１０Ａおよび緑色Ｇの画素１０Ｂは第１の画素群を構成し、かつ青色Ｂの画素１０Ｃは第３の画素群を構成する。また、前記３つの画素組２０のうちのもう一つに含まれる３つの画素１０のうち、赤色Ｒの画素１０Ａおよび緑色Ｇの画素１０Ｂは第２の画素群を構成し、かつ青色Ｂの画素１０Ｃは第１の画素群を構成する。また、前記３つの画素組２０のうちのさらにもう一つに含まれる３つの画素１０のうち、赤色Ｒの画素１０Ａおよび緑色Ｇの画素１０Ｂは第３の画素群を構成し、かつ青色Ｂの画素１０Ｃは第２の画素群を構成する。
【００６６】
これにより、画素組２０毎に赤色Ｒの画素１０Ａおよび緑色Ｇの画素１０Ｂに、第１の画素群、第２の画素群、および第３の画素群が互い違いに配置される。また、画素組２０毎に青色Ｂの画素１０Ｃに、第１の画素群、第２の画素群、および第３の画素群が互い違いに配置される。さらに、１つの画素組２０内において、赤色Ｒの画素１０Ａおよび緑色Ｇの画素１０Ｂと、青色Ｂの画素１０Ｃとは、異なる画素群を構成する。
【００６７】
なお、ここでは、１つの画素組２０のうち、赤色Ｒの画素１０Ａおよび緑色Ｇの画素１０Ｂの組み合わせが同じ画素群を構成する例について説明したが、特にこの色の組み合わせに限られない。
【００６８】
上述した「色に基づく配置の例１〜４」では、画素１０がそれぞれＲ、Ｇ、またはＢである構成について説明したが、特にこれらの色には限定されない。
【００６９】
表示装置１００は、上述した「色に基づく配置の例１〜４」を互いに切り替え可能に構成されていてもよい。
【００７０】
次に、第１の画素群、第２の画素群および第３の画素群の配置の振り分けパターンについて、以下に説明する。
【００７１】
（配置の振り分けパターン１）
図１１は、本発明の一実施形態における画素群の配置の振り分けパターンについての一例を示す図である。
【００７２】
配置の振り分けパターン１では、任意に選択される、三角形状に配置された３つの画素１０のうち、いずれか一つは第１の画素群を構成し、もう一つは第２の画素群を構成し、さらにもう一つの画素１０は第３の画素群を構成する。これにより、第１の画素群、第２の画素群および第３の画素群を互い違いに配置することができる。
【００７３】
なお、「配置の振り分けパターン１〜３」においては、ゲートドライバ２およびソースドライバ３は、第１の画素群、第２の画素群および第３の画素群のそれぞれを駆動するガンマ曲線Ｃ１、Ｃ２、Ｃ３として、上述した「ガンマ曲線の例１〜５」のいずれを用いてもよい。
【００７４】
（配置の振り分けパターン２）
図１２は、本発明の一実施形態における画素群の配置の振り分けパターンについての他の例を示す図である。なお、ここでは、主に「配置の振り分けパターン１」と異なる点について説明するものとし、説明の便宜上、「配置の振り分けパターン１」と同様の機能を有する構成要素には同一の番号を付してその説明を省略する。
【００７５】
配置の振り分けパターン２では、図１２に示すように、表示パネル１において、画素行Ｒｍ、Ｒｍ＋２には、第１の画素群を構成する画素１１Ａ（第１の画素）と第２の画素群を構成する画素１１Ｂ（第２の画素）とが交互に配置された画素行２１（第１の画素行）が配置される。また、画素行Ｒｍ＋１、Ｒｍ＋３には、第３の画素群を構成する画素１１Ｃ（第３の画素）のみが配置された画素行２２（第２の画素行）が配置される。したがって、画素行２１と画素行２２とが列方向に交互に配置される。
【００７６】
また、任意に選択される画素行２２（ここでは画素行Ｒｍ＋１）の一つ前に配置された画素行２１（ここでは画素行Ｒｍ）において、ある列に画素１１Ａが配置され、かつ、当該ある列の次の列に画素１１Ｂが配置されており、当該任意の画素行２２の一つ次に配置された画素行２１（ここでは画素行Ｒｍ＋２）において、当該ある列に画素１１Ａが配置され、かつ、当該次の列に画素１１Ｂが配置されている。
【００７７】
配置の振り分けパターン２では、ゲートドライバ２およびソースドライバ３は、ガンマ曲線Ｃ３として、目標のガンマ曲線Ｃ０と等しいものを用いることが好ましい。すなわち、ガンマ曲線Ｃ１、Ｃ２、Ｃ３として、上述した「ガンマ曲線の例４」を用いることが好ましい。
【００７８】
（配置の振り分けパターン３）
図１３は、本発明の一実施形態における画素群の配置の振り分けパターンについての他の例を示す図である。なお、ここでは、主に「配置の振り分けパターン２」と異なる点について説明するものとし、説明の便宜上、「配置の振り分けパターン２」と同様の機能を有する構成要素には同一の番号を付してその説明を省略する。
【００７９】
配置の振り分けパターン３では、任意に選択される画素行２２（ここでは画素行Ｒｍ＋１）の一つ前に配置された画素行２１（ここでは画素行Ｒｍ）において、ある列に画素１１Ａが配置され、かつ、当該ある列の次の列に画素１１Ｂが配置されており、当該任意の画素行２２の一つ次に配置された画素行２１（ここでは画素行Ｒｍ＋２）において、当該ある列に画素１１Ｂが配置され、かつ、当該次の列に画素１１Ａが配置されている。
【００８０】
なお、表示装置１００は、上述した配置の「振り分けパターン１〜３」を互いに切り替え可能に構成されていてもよい。
【００８１】
次に、第１の画素群、第２の画素群および第３の画素群の配置をフレーム毎に切り替える場合の例について、図面を参照して説明する。なお、フレームＦｎ＋１は、フレームＦｎの次のフレームをさし、フレームＦｎ＋２は、フレームＦｎ＋１の次のフレームをさし、フレームＦｎ＋３は、フレームＦｎ＋２の次のフレームをさし、フレームＦｎ＋４は、フレームＦｎ＋３の次のフレームをさす。
【００８２】
（フレーム毎の配置の切り替え１）
図１４の（ａ）〜（ｃ）は、本発明の一実施形態における画素群の配置をフレーム毎に切り替える場合の一例を示す図であり、図１４の（ａ）は、フレームＦｎにおける配置を示す図であり、図１４の（ｂ）は、フレームＦｎ＋１における画素群の配置を示す図であり、図１４の（ｃ）は、フレームＦｎ＋２における画素群の配置を示す図である。ここでは、上述した「配置の振り分けパターン１」における配置をフレーム毎に切り替える場合の例について説明する。
【００８３】
フレーム毎の配置の切り替え１では、ゲートドライバ２およびソースドライバ３は、あるフレーム（ここでは、フレームＦｎとする。）においてガンマ曲線Ｃ１を用いた場合は、次のフレームＦｎ＋１においてガンマ曲線Ｃ２を用いる。また、あるフレームＦｎにおいてガンマ曲線Ｃ２を用いた場合は、次のフレームＦｎ＋１においてガンマ曲線Ｃ３を用いる。また、あるフレームＦｎにおいてガンマ曲線Ｃ３を用いた場合は、次のフレームＦｎ＋１においてガンマ曲線Ｃ１を用いる。
【００８４】
すなわち、それぞれの画素１０について、フレーム毎に３つのガンマ曲線Ｃ１、Ｃ２、Ｃ３が交互に切り替わることとなる。
【００８５】
（フレーム毎の配置の切り替え２）
図１５の（ａ）〜（ｃ）は、本発明の一実施形態における画素群の配置をフレーム毎に切り替える場合の他の例を示す図であり、図１５の（ａ）は、フレームＦｎにおける配置を示す図であり、図１５の（ｂ）は、フレームＦｎ＋１における画素群の配置を示す図であり、図１５の（ｃ）は、フレームＦｎ＋２における画素群の配置を示す図である。ここでは、上述した「配置の振り分けパターン１」における配置をフレーム毎に切り替える場合の例について説明する。
【００８６】
フレーム毎の配置の切り替え２では、ゲートドライバ２およびソースドライバ３は、あるフレーム（ここでは、フレームＦｎとする。）においてガンマ曲線Ｃ１を用いた場合は、次のフレームＦｎ＋１においてガンマ曲線Ｃ３を用いる。また、あるフレームＦｎにおいてガンマ曲線Ｃ２を用いた場合は、次のフレームＦｎ＋１においてガンマ曲線Ｃ１を用いる。また、あるフレームＦｎにおいてガンマ曲線Ｃ３を用いた場合は、次のフレームＦｎ＋１においてガンマ曲線Ｃ２を用いる。
【００８７】
すなわち、それぞれの画素１０について、フレーム毎に３つのガンマ曲線Ｃ１、Ｃ２、Ｃ３が交互に切り替わることとなる。
【００８８】
（フレーム毎の配置の切り替え３）
図１６の（ａ）〜（ｃ）は、本発明の一実施形態における画素群の配置をフレーム毎に切り替える場合の他の例を示す図であり、図１６の（ａ）は、フレームＦｎにおける配置を示す図であり、図１６の（ｂ）は、フレームＦｎ＋１における画素群の配置を示す図であり、図１６の（ｃ）は、フレームＦｎ＋２における画素群の配置を示す図である。ここでは、上述した「配置の振り分けパターン２」における配置をフレーム毎に切り替える場合の例について説明する。
【００８９】
フレーム毎の配置の切り替え３では、ゲートドライバ２およびソースドライバ３は、あるフレーム（ここでは、フレームＦｎとする。）においてガンマ曲線Ｃ１を用いた場合は、次のフレームＦｎ＋１においてガンマ曲線Ｃ２を用いる。また、あるフレームＦｎにおいてガンマ曲線Ｃ２を用いた場合は、次のフレームＦｎ＋１においてガンマ曲線Ｃ１を用いる。また、あるフレームＦｎにおいてガンマ曲線Ｃ３を用いた場合は、次のフレームＦｎ＋１においてガンマ曲線Ｃ３を用いる。
【００９０】
すなわち、画素行２１（ここでは画素行Ｒｍ、Ｒｍ＋２）における画素１０について、フレーム毎に２つのガンマ曲線Ｃ１、Ｃ２が交互に切り替わることとなる。
【００９１】
なお、ここでは「配置の振り分けパターン２」における配置をフレーム毎に切り替える場合の例について説明したが、上述した「配置の振り分けパターン３」における配置について、上述した方法によりフレーム毎に切り替えてもよい。
【００９２】
（フレーム毎の配置の切り替え４）
図１７の（ａ）〜（ｃ）は、本発明の一実施形態における画素群の配置をフレーム毎に切り替える場合の他の例を示す図であり、図１７の（ａ）は、フレームＦｎにおける配置を示す図であり、図１７の（ｂ）は、フレームＦｎ＋１における画素群の配置を示す図であり、図１７の（ｃ）は、フレームＦｎ＋２における画素群の配置を示す図である。ここでは、上述した「配置の振り分けパターン２」における配置をフレーム毎に切り替える場合の例について説明する。
【００９３】
フレーム毎の配置の切り替え４では、ゲートドライバ２およびソースドライバ３は、あるフレーム（ここでは、フレームＦｎ＋１とする。）においてガンマ曲線Ｃ１またはガンマ曲線Ｃ２を用いた場合は、次のフレームＦｎ＋２においてガンマ曲線Ｃ３を用いる。また、あるフレームＦｎ＋１においてガンマ曲線Ｃ３を用いるとともに、前のフレームＦｎにおいてガンマ曲線Ｃ１を用いた場合は、次のフレームＦｎ＋２においてガンマ曲線Ｃ１を用いる。また、あるフレームＦｎ＋１においてガンマ曲線Ｃ３を用いるとともに、前のフレームＦｎにおいてガンマ曲線Ｃ２を用いた場合は、次のフレームＦｎ＋２においてガンマ曲線Ｃ２を用いる。
【００９４】
すなわち、各画素行において、フレーム毎に、画素行２１が配置される場合と画素行２２が配置される場合とが切り替わることとなる。
【００９５】
なお、ここでは「配置の振り分けパターン２」における配置をフレーム毎に切り替える場合の例について説明したが、上述した「配置の振り分けパターン３」における配置について、上述した方法によりフレーム毎に切り替えてもよい。
【００９６】
（フレーム毎の配置の切り替え５）
図１８の（ａ）〜（ｃ）は、本発明の一実施形態における画素群の配置をフレーム毎に切り替える場合の他の例を示す図であり、図１８の（ａ）は、フレームＦｎにおける配置を示す図であり、図１８の（ｂ）は、フレームＦｎ＋１における画素群の配置を示す図であり、図１８の（ｃ）は、フレームＦｎ＋２における画素群の配置を示す図である。なお、ここでは、主に「フレーム毎の配置の切り替え４」と異なる点について説明するものとし、説明の便宜上、「フレーム毎の配置の切り替え４」と同様の機能を有する構成要素には同一の番号を付してその説明を省略する。
【００９７】
フレーム毎の配置の切り替え５では、あるフレーム（ここでは、フレームＦｎ＋１とする。）の画素行２１（ここでは、画素行Ｒｍ＋１、Ｒｍ＋３）と、次のフレームＦｎ＋２の画素行２１（ここでは、画素行Ｒｍ、Ｒｍ＋２）とのそれぞれにおいて、画素１１Ａと画素１１Ｂとが配置される列がずれている。
【００９８】
例えば、ある奇数行（例えば画素行Ｒｍ）と、その奇数行の次の偶数行(例えば画素行Ｒｍ＋１）とのそれぞれにおいて、画素行２１と画素行２２との配置がフレーム毎に入れ替わるとともに、画素行２１については、画素１１Ａと画素１１Ｂとの配置がフレーム毎に入れ替わる。
【００９９】
なお、ここでは「配置の振り分けパターン２」における配置をフレーム毎に切り替える場合の例について説明したが、上述した「配置の振り分けパターン３」における配置について、上述した方法によりフレーム毎に切り替えてもよい。
【０１００】
（フレーム毎の配置の切り替え６）
図１９の（ａ）〜（ｅ）は、本発明の一実施形態における画素群の配置をフレーム毎に切り替える場合の他の例を示す図である。図１９の（ａ）は、フレームＦｎにおける配置を示す図であり、図１９の（ｂ）は、フレームＦｎ＋１における画素群の配置を示す図であり、図１９の（ｃ）は、フレームＦｎ＋２における画素群の配置を示す図であり、図１９の（ｄ）は、フレームＦｎ＋３における画素群の配置を示す図であり、図１９の（ｅ）は、フレームＦｎ＋４における画素群の配置を示す図である。ここでは、上述した「配置の振り分けパターン２」における配置をフレーム毎に切り替える場合の例について説明する。
【０１０１】
フレーム毎の配置の切り替え６では、ゲートドライバ２およびソースドライバ３は、あるフレーム（ここでは、フレームＦｎ＋１とする。）においてガンマ曲線Ｃ１またはガンマ曲線Ｃ２を用いた場合は、次のフレームＦｎ＋２においてガンマ曲線Ｃ３を用いる。また、あるフレームＦｎ＋１においてガンマ曲線Ｃ３を用いるとともに、前のフレームＦｎにおいてガンマ曲線Ｃ１を用いた場合は、次のフレームＦｎ＋２においてガンマ曲線Ｃ２を用いる。また、あるフレームＦｎ＋１においてガンマ曲線Ｃ３を用いるとともに、前のフレームＦｎにおいてガンマ曲線Ｃ２を用いた場合は、次のフレームＦｎ＋２においてガンマ曲線Ｃ１を用いる。
【０１０２】
すなわち、各画素行において、フレーム毎に、画素行２１が配置される場合と画素行２２が配置される場合とが切り替わることとなる。また、各画素行において、２フレーム毎に配置されることとなる画素行２１について、２フレーム毎に画素１１Ａと画素１１Ｂとの配置が入れ替わることとなる。
【０１０３】
なお、ここでは「配置の振り分けパターン２」における配置をフレーム毎に切り替える場合の例について説明したが、上述した「配置の振り分けパターン３」における配置について、上述した方法によりフレーム毎に切り替えてもよい。
【０１０４】
（フレーム毎の配置の切り替え７）
図２０の（ａ）〜（ｃ）は、本発明の一実施形態における画素群の配置をフレーム毎に切り替える場合の他の例を示す図である。図２０の（ａ）は、フレームＦｎにおける配置を示す図であり、図２０の（ｂ）は、フレームＦｎ＋１における画素群の配置を示す図であり、図２０の（ｃ）は、フレームＦｎ＋２における画素群の配置を示す図である。なお、ここでは、主に「フレーム毎の配置の切り替え３」と異なる点について説明するものとし、説明の便宜上、「フレーム毎の配置の切り替え３」と同様の機能を有する構成要素には同一の番号を付してその説明を省略する。
【０１０５】
フレーム毎の配置の切り替え７は、上述した「配置の振り分けパターン１」における配置をフレーム毎に切り替える点が、「フレーム毎の配置の切り替え３」とは異なっている。なお、ガンマ曲線Ｃ１、Ｃ２、Ｃ３を切り替える方法については、「フレーム毎の配置の切り替え３」と同じである。
【０１０６】
すなわち、図２０の（ａ）〜（ｃ）に示すように、フレーム毎に２つのガンマ曲線Ｃ１、Ｃ２が交互に切り替わる画素１０と、常にガンマ曲線Ｃ３が使用される画素１０とが存在することとなる。
【０１０７】
表示装置１００は、上述したフレーム毎の配置の切り替え１〜７を、さらに互いに切り替え可能に構成されていてもよい。
【０１０８】
なお、ゲートドライバ２およびソースドライバ３は、表示装置１００に画像信号が入力されるフレーム周波数よりも高いフレーム周波数によって、表示パネル１を駆動してもよい。
【０１０９】
また、ゲートドライバ２およびソースドライバ３は、表示装置１００に画像信号が入力されるフレーム周波数の３倍±１０％、または２倍±１０％のフレーム周波数によって、表示パネル１を駆動してもよい。
【０１１０】
また、表示装置１００がＮＴＳＣ規格に従う入力インタフェースを備えており、かつ、当該入力インタフェースを通じて画像信号が入力されている場合、上述した「フレーム毎の配置の切り替え１〜７」においては、ゲートドライバ２およびソースドライバ３は、６０Ｈｚよりも高いフレーム周波数によって、表示パネル１を駆動してもよい。
【０１１１】
また、上述した「フレーム毎の配置の切り替え１、２」においては、表示装置１００がＮＴＳＣ規格に従う入力インタフェースを備えており、かつ、当該入力インタフェースを通じて画像信号が入力されている場合、ゲートドライバ２およびソースドライバ３は、１８０Ｈｚ±１０％のフレーム周波数によって、表示パネル１を駆動してもよい。
【０１１２】
また、上述した「フレーム毎の配置の切り替え３〜７」においては、ゲートドライバ２およびソースドライバ３は、１２０Ｈｚ±１０％のフレーム周波数によって、表示パネル１を駆動してもよい。
【０１１３】
また、表示装置１００がＰＡＬ規格に従う入力インタフェースを備えており、かつ、当該入力インタフェースを通じて画像信号が入力されている場合、上述した「フレーム毎の配置の切り替え１〜７」においては、ゲートドライバ２およびソースドライバ３は、５０Ｈｚよりも高いフレーム周波数によって、表示パネル１を駆動してもよい。
【０１１４】
また、上述した「フレーム毎の配置の切り替え１、２」においては、ゲートドライバ２およびソースドライバ３は、１５０Ｈｚ±１０％のフレーム周波数によって、表示パネル１を駆動してもよい。
【０１１５】
また、上述した「フレーム毎の配置の切り替え３〜７」においては、ゲートドライバ２およびソースドライバ３は、１００Ｈｚ±１０％のフレーム周波数によって、表示パネル１を駆動してもよい。
【０１１６】
また、表示装置１００は、上述した種々の方法により各画素１０に第１の画素群、第２の画素群、および第３の画素群を配置させる場合と、全ての画素１０を同じガンマ特性を有するガンマ曲線を用いて駆動する場合とを切り替え可能に構成されてもよい。
【０１１７】
また、表示装置１００は、上述した種々の方法により各画素１０に第１の画素群、第２の画素群、および第３の画素群を配置させる場合と、図２１および図２２に示すようにそれぞれ異なる２つのガンマ特性を有するガンマ曲線を用いて駆動する場合とを切り替え可能に構成されてもよい。
【０１１８】
また、表示装置１００は、上述した種々の方法により各画素１０に第１の画素群、第２の画素群、および第３の画素群を配置させる場合と、図２１および図２２に示すようにそれぞれ異なる２つのガンマ特性を有するガンマ曲線を用いて駆動する場合と、全ての画素１０を同じガンマ特性を有するガンマ曲線を用いて駆動する場合とを切り替え可能に構成されてもよい。
【０１１９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１２０】
例えば、本発明に係る表示装置では、前記第１のガンマ曲線上から任意に選択される階調に対応する相対輝度が、目標のガンマ特性を有する目標のガンマ曲線上の当該任意に選択される階調に対応する相対輝度よりも大きく、前記第２のガンマ曲線上から任意に選択される階調に対応する相対輝度が、前記目標のガンマ曲線上の当該任意に選択される階調に対応する相対輝度よりも小さいことが好ましい。
【０１２１】
上記の構成であれば、第１の画素群と第２の画素群とのガンマ特性が効果的に補償されることとなり、視野角をより広くすることができる。
【０１２２】
また、本発明に係る表示装置では、前記第３のガンマ曲線上から任意に選択される階調に対応する相対輝度が、前記目標のガンマ曲線上の当該任意に選択される階調に対応する相対輝度よりも大きいことが好ましい。
【０１２３】
また、本発明に係る表示装置では、前記第３のガンマ曲線上から任意に選択される階調に対応する相対輝度が、前記目標のガンマ曲線上の当該任意に選択される階調に対応する相対輝度よりも小さいことが好ましい。
【０１２４】
上記の構成であれば、第３の画素群が出力する相対輝度は、いずれの階調においても目標の相対輝度に対して小さいので、斜視時の輝度が増加して見えることを防止しやすくすることができる。
【０１２５】
また、本発明に係る表示装置では、前記第３のガンマ曲線は、ある階調において前記目標のガンマ曲線と交わっており、前記第３のガンマ曲線上から任意に選択される、前記ある階調よりも小さい第１の階調に対応する相対輝度が、前記目標のガンマ曲線上の当該第１の階調に対応する相対輝度よりも小さく、前記第３のガンマ曲線上から任意に選択される、前記ある階調よりも大きい第２の階調に対応する相対輝度が、前記目標のガンマ曲線上の当該第２の階調に対応する相対輝度よりも大きいことが好ましい。
【０１２６】
また、本発明に係る表示装置では、前記第３のガンマ曲線は、ある階調において前記目標のガンマ曲線と交わっており、前記第３のガンマ曲線上から任意に選択される、前記ある階調よりも小さい第１の階調に対応する相対輝度が、前記目標のガンマ曲線上の当該第１の階調に対応する相対輝度よりも大きく、前記第３のガンマ曲線上から任意に選択される、前記ある階調よりも大きい第２の階調に対応する相対輝度が、前記目標のガンマ曲線上の当該第２の階調に対応する相対輝度よりも小さいことが好ましい。
【０１２７】
また、本発明に係る表示装置では、前記第１のガンマ曲線上から任意に選択される階調に対応する相対輝度と、前記第２のガンマ曲線上の当該任意に選択される階調に対応する相対輝度と、前記第３のガンマ曲線上の当該任意に選択される階調に対応する相対輝度との平均が、前記目標のガンマ曲線上の当該任意に選択される階調に対応する相対輝度と等しいことが好ましい。
【０１２８】
上記の構成であれば、正面からの視認性を、全ての画素が目標のガンマ曲線を用いて駆動される場合の正面からの視認性と同等にできるとともに、斜視時の視認性をより良好にすることができる。
【０１２９】
また、本発明に係る表示装置では、前記第３のガンマ曲線は、前記目標のガンマ曲線に等しいことが好ましい。
【０１３０】
上記の構成であれば、第３の画素群が目標のガンマ曲線に等しい第３のガンマ曲線を用いて駆動されるので、明暗の点の表示を抑え、解像度感の劣化を防止できる。
【０１３１】
また、本発明に係る表示装置では、前記第１のガンマ曲線は、第１のある階調において前記目標のガンマ曲線と交わっており、前記第１のガンマ曲線上から任意に選択される、前記第１のある階調よりも小さい第３の階調に対応する相対輝度が、前記目標のガンマ曲線上の当該第３の階調に対応する相対輝度よりも大きく、前記第１のガンマ曲線上から任意に選択される、前記第１のある階調よりも大きい第４の階調に対応する相対輝度が、前記目標のガンマ曲線上の当該第４の階調に対応する相対輝度よりも小さく、前記第２のガンマ曲線は、第２のある階調において前記目標のガンマ曲線と交わっており、前記第２のガンマ曲線上から任意に選択される、前記第２のある階調よりも小さい第５の階調に対応する相対輝度が、前記目標のガンマ曲線上の当該第５の階調に対応する相対輝度よりも小さく、前記第２のガンマ曲線上から任意に選択される、前記第２のある階調よりも大きい第６の階調に対応する相対輝度が、前記目標のガンマ曲線上の当該第６の階調に対応する相対輝度よりも大きく、前記第３のガンマ曲線は、前記目標のガンマ曲線に等しいことが好ましい。
【０１３２】
また、本発明に係る表示装置では、前記第１のある階調と前記第２のある階調とが等しいことが好ましい。
【０１３３】
上記の構成であれば、第１のある階調と第２のある階調とが等しいので、駆動回路をより小さい回路構成にすることが容易になる。また、第１のある階調と第２のある階調とが異なる場合と同様に、視野角改善効果を得ることができる。
【０１３４】
また、本発明に係る表示装置では、前記目標のガンマ特性は１．７以上２．７以下であることが好ましい。
【０１３５】
上記の構成であれば、視認性を良好にすることができる。
【０１３６】
また、本発明に係る表示装置では、前記目標のガンマ曲線は変曲点を１つ有する曲線であることが好ましい。
【０１３７】
上記の構成であれば、中間階調領域の階調−輝度特性を急峻に変化させるため、目で見た際に感じるコントラスト（コントラスト感）を高める効果があり、視認性を良好にすることができる。
【０１３８】
また、本発明に係る表示装置では、前記第１のガンマ曲線上から任意に選択される階調に対応する相対輝度と、前記第２のガンマ曲線上の当該任意に選択される階調に対応する相対輝度との平均が、前記目標のガンマ曲線上の当該任意に選択される階調に対応する相対輝度と等しいことが好ましい。
【０１３９】
上記の構成であれば、第１の画素群および第２の画素群の各ガンマ特性がより効果的に補償しあうことにより、視認性をより良好にすることができる。
【０１４０】
また、本発明に係る表示装置では、前記複数の画素から任意に選択される、三角形状に配置された３つの画素のうち、いずれか一つは第１の原色の画素であり、もう一つは前記第１の原色と異なる第２の原色の画素であり、さらにもう一つは前記第１の原色および前記第２の原色と異なる第３の原色の画素であることが好ましい。
【０１４１】
また、本発明に係る表示装置では、前記表示パネルの行方向に連続して並んだ前記第１の原色の画素、前記第２の原色の画素、および前記第３の原色の画素からなる画素群を一つの画素組としたとき、任意に選択される、前記表示パネルにおいて三角形状に配置された３つの前記画素組のうち、いずれか一つに含まれる全ての画素は前記第１の画素群を構成し、もう一つに含まれる全ての画素は前記第２の画素群を構成し、さらにもう一つに含まれる全ての画素は前記第３の画素群を構成することが好ましい。
【０１４２】
上記の構成であれば、画素組毎に、第１の画素群、第２の画素群、および第３の画素群が互い違いに配置されるので、斜視時の輝度が増加して見えることを軽減できるので、表示パネルの縦方向および横方向のどちらにおいても視野角をより広くすることができ、視認性をより良好とすることができる。
【０１４３】
また、本発明に係る表示装置では、前記第１の画素群は、いずれも前記第１の原色の画素によって構成されており、前記第２の画素群は、いずれも前記第２の原色の画素によって構成されており、前記第３の画素群は、いずれも前記第３の原色の画素によって構成されていることが好ましい。
【０１４４】
上記の構成であれば、それぞれの原色の画素毎に、第１の画素群、第２の画素群、および第３の画素群が互い違いに配置されるので、斜視時の輝度が増加して見えることを軽減できるので、表示パネルの縦方向および横方向のどちらにおいても、視野角をより広くすることができ、視認性をより良好とすることができる。また、明暗の繰り返しピッチが狭くなるため、解像度感の劣化を軽減できる。
【０１４５】
また、本発明に係る表示装置では、前記表示パネルの行方向に連続して並んだ前記第１の原色の画素、前記第２の原色の画素、および前記第３の原色の画素からなる画素群を一つの画素組としたとき、任意に選択される、前記表示パネルにおいて三角形状に配置された３つの前記画素組のうち、いずれか一つに含まれる前記第１の原色の画素は前記第１の画素群を構成し、もう一つに含まれる前記第１の原色の画素は前記第２の画素群を構成し、さらにもう一つに含まれる前記第１の原色の画素は前記第３の画素群を構成し、前記駆動回路は、前記第２の原色の画素および前記第３の原色の画素を駆動する際、目標のガンマ特性を有する目標のガンマ曲線を使用することが好ましい。
【０１４６】
上記の構成であれば、画素組毎に第１の原色の画素に、第１の画素群、第２の画素群、および第３の画素群が互い違いに配置されるので、第１の原色の画素について斜視時の輝度が増加して見えることを軽減できるため、表示パネルの縦方向および横方向のどちらにおいても、視野角をより広くすることができ、視認性をより良好とすることができる。例えば、第１〜第３の原色の画素の液晶層の厚さが異なっており、第１の原色の画素のみについて斜視時の輝度がより増加して見えてしまう場合に、好適に適用できる。また、第１〜第３の原色の画素全てにそれぞれ異なる３つのガンマ曲線を使用する場合と比較して、簡易な駆動回路を採用できるという効果が得られる。
【０１４７】
また、本発明に係る表示装置では、前記表示パネルの行方向に連続して並んだ前記第１の原色の画素、前記第２の原色の画素、および前記第３の原色の画素からなる画素群を一つの画素組としたとき、任意に選択される、前記表示パネルにおいて三角形状に配置された３つの前記画素組のうち、いずれか一つに含まれる前記第１の原色の画素および前記第２の原色の画素は前記第１の画素群を構成し、もう一つに含まれる前記第１の原色の画素および前記第２の原色の画素は前記第２の画素群を構成し、さらにもう一つに含まれる前記第１の原色の画素および前記第２の原色の画素は前記第３の画素群を構成し、前記駆動回路は、前記第３の原色の画素を駆動する際、目標のガンマ特性を有する目標のガンマ曲線を使用することが好ましい。
【０１４８】
上記の構成であれば、画素組毎に第１の原色の画素および第２の原色の画素に、第１の画素群、第２の画素群、および第３の画素群が互い違いに配置されるので、斜視時の輝度が増加して見えることを軽減できるため、表示パネルの縦方向および横方向のどちらにおいても、視野角をより広くすることができ、視認性をより良好とすることができる。
【０１４９】
また、本発明に係る表示装置では、前記表示パネルの行方向に連続して並んだ前記第１の原色の画素、前記第２の原色の画素、および前記第３の原色の画素からなる画素群を一つの画素組としたとき、任意に選択される、前記表示パネルにおいて三角形状に配置された３つの前記画素組のうち、いずれか一つに含まれる３つの画素のうち、前記第１の原色の画素および前記第２の原色の画素は前記第１の画素群を構成し、かつ前記第３の原色の画素は前記第３の画素群を構成し、もう一つに含まれる３つの画素のうち、前記第１の原色の画素および前記第２の原色の画素は前記第２の画素群を構成し、かつ前記第３の原色の画素は前記第１の画素群を構成し、さらにもう一つに含まれる３つの画素のうち、前記第１の原色の画素および前記第２の原色の画素は前記第３の画素群を構成し、かつ前記第３の原色の画素は前記第２の画素群を構成することが好ましい。
【０１５０】
上記の構成であれば、画素組毎に第１の原色の画素および第２の原色の画素に、第１の画素群、第２の画素群、および第３の画素群が互い違いに配置され、画素組毎に第３の原色の画素に、第１の画素群、第２の画素群、および第３の画素群が互い違いに配置される。これにより、斜視時の輝度が増加して見えることを軽減できるため、表示パネルの縦方向および横方向のどちらにおいても、視野角をより広くすることができる。また、同じ画素組内において、第１の原色の画素および第２の原色の画素と、第３の原色の画素とは、異なる画素群を構成する。これにより、解像度感の劣化を防止できる。
【０１５１】
また、本発明に係る表示装置では、前記複数の画素から任意に選択される、三角形状に配置された３つの画素のうち、いずれか一つは前記第１の画素群を構成し、もう一つは前記第２の画素群を構成し、さらにもう一つは前記第３の画素群を構成することが好ましい。
【０１５２】
上記の構成であれば、第１の画素群、第２の画素群および第３の画素群が互い違いに配置されるので、画素同士のガンマ特性がより効果的に補償され、表示パネルの縦方向および横方向のどちらにおいても、視野角をより広くすることができる。
【０１５３】
また、本発明に係る表示装置では、前記表示パネルにおいて、前記第１の画素群を構成する第１の画素と前記第２の画素群を構成する第２の画素とが交互に配置された第１の画素行と、前記第３の画素群を構成する第３の画素のみが配置された第２の画素行とが交互に配置されていることが好ましい。
【０１５４】
上記の構成であれば、第１の画素群と第２の画素群とが互い違いに配置され、さらに第１の画素行と第２の画素行とが互い違いに配置されるので、画素同士のガンマ特性がより効果的に補償され、表示パネルの縦方向および横方向のどちらにおいても、視野角をより広くすることができる。
【０１５５】
また、本発明に係る表示装置では、任意に選択される前記第２の画素行の一つ前に配置された前記第１の画素行において、ある列に前記第１の画素が配置され、かつ、当該ある列の次の列に前記第２の画素が配置されており、前記任意の第２の画素行の一つ次に配置された前記第１の画素行において、前記ある列に前記第１の画素が配置され、かつ、前記次の列に前記第２の画素が配置されていることが好ましい。
【０１５６】
上記の構成であれば、画素同士のガンマ特性がより効果的に補償され、表示パネルの横方向における視野角をより広くすることができる。
【０１５７】
また、本発明に係る表示装置では、任意に選択される前記第２の画素行の一つ前に配置された前記第１の画素行において、ある列に前記第１の画素が配置され、かつ、当該ある列の次の列に前記第２の画素が配置されており、前記任意の第２の画素行の一つ次に配置された前記第１の画素行において、前記ある列に前記第２の画素が配置され、かつ、前記次の列に前記第１の画素が配置されていることが好ましい。
【０１５８】
上記の構成であれば、第２の画素行の一つ前の画素行と一つ次の画素行との間において視野角補償効果が得られるため、画素同士のガンマ特性がより効果的に補償され、表示パネルの縦方向および横方向のどちらにおいても、視野角をより広くすることができる。また、明線および暗線が表示されることを防止できる。
【０１５９】
また、本発明に係る表示装置では、前記駆動回路は、前記複数の画素のそれぞれを駆動する際、あるフレームにおいて前記第１のガンマ曲線を用いた場合は、次のフレームにおいて前記第２のガンマ曲線を用い、かつ、前記あるフレームにおいて前記第２のガンマ曲線を用いた場合は、前記次のフレームにおいて前記第３のガンマ曲線を用い、かつ、前記あるフレームにおいて前記第３のガンマ曲線を用いた場合は、前記次のフレームにおいて前記第１のガンマ曲線を用いることが好ましい。
【０１６０】
上記の構成であれば、それぞれの画素について、フレーム毎に３つの異なるガンマ曲線が交互に用いられて駆動されるので、時間軸においての視角補償効果が生じ、斜視時の視認性がより良好になるとともに、映像を滑らかに表示させることができる。また、解像度感の劣化を防止できる。
【０１６１】
また、本発明に係る表示装置では、前記駆動回路は、前記複数の画素のそれぞれを駆動する際、あるフレームにおいて前記第１のガンマ曲線を用いた場合は、次のフレームにおいて前記第３のガンマ曲線を用い、かつ、前記あるフレームにおいて前記第２のガンマ曲線を用いた場合は、前記次のフレームにおいて前記第１のガンマ曲線を用い、かつ、前記あるフレームにおいて前記第３のガンマ曲線を用いた場合は、前記次のフレームにおいて前記第２のガンマ曲線を用いることが好ましい。
【０１６２】
上記の構成であれば、それぞれの画素について、フレーム毎に３つの異なるガンマ曲線が交互に用いられて駆動されるので、時間軸においての視角補償効果が生じ、斜視時の視認性がより良好になるとともに、映像を滑らかに表示させることができる。また、解像度感の劣化を防止できる。
【０１６３】
また、本発明に係る表示装置では、前記駆動回路は、前記複数の画素のそれぞれを駆動する際、あるフレームにおいて前記第１のガンマ曲線を用いた場合は、次のフレームにおいて前記第２のガンマ曲線を用い、かつ、前記あるフレームにおいて前記第２のガンマ曲線を用いた場合は、前記次のフレームにおいて前記第１のガンマ曲線を用い、かつ、前記あるフレームにおいて前記第３のガンマ曲線を用いた場合は、前記次のフレームにおいて前記第３のガンマ曲線を用いることが好ましい。
【０１６４】
上記の構成であれば、フレーム毎に第１のガンマ曲線と第２のガンマ曲線とが交互に用いられて駆動されるので、斜視時の視認性がより良好になるとともに、映像を滑らかに表示させることができる。
【０１６５】
また、本発明に係る表示装置では、前記駆動回路は、前記複数の画素のそれぞれを駆動する際、あるフレームにおいて前記第１のガンマ曲線または前記第２のガンマ曲線を用いた場合は、次のフレームにおいて前記第３のガンマ曲線を用い、かつ、前記あるフレームにおいて前記第３のガンマ曲線を用いるとともに、前のフレームにおいて前記第１のガンマ曲線を用いた場合は、前記次のフレームにおいて前記第１のガンマ曲線を用い、かつ、前記あるフレームにおいて前記第３のガンマ曲線を用いるとともに、前記前のフレームにおいて前記第２のガンマ曲線を用いた場合は、前記次のフレームにおいて前記第２のガンマ曲線を用いることを特徴とすることが好ましい。
【０１６６】
上記の構成であれば、それぞれの画素について、フレーム毎に異なるガンマ曲線が交互に用いられて駆動される。また、各画素行において、フレーム毎に第１の画素行と第２の画素行とが交互に配置される。これにより、時間軸においての視角補償効果が生じ、斜視時の視認性がより良好になるとともに、映像を滑らかに表示させることができる。また、解像度感の劣化を防止できる。
【０１６７】
また、本発明に係る表示装置では、前記駆動回路は、前記複数の画素のそれぞれを駆動する際、あるフレームにおいて前記第１のガンマ曲線または前記第２のガンマ曲線を用いた場合は、次のフレームにおいて前記第３のガンマ曲線を用い、かつ、前記あるフレームにおいて前記第３のガンマ曲線を用いるとともに、前のフレームにおいて前記第１のガンマ曲線を用いた場合は、前記次のフレームにおいて前記第２のガンマ曲線を用い、かつ、前記あるフレームにおいて前記第３のガンマ曲線を用いるとともに、前記前のフレームにおいて前記第２のガンマ曲線を用いた場合は、前記次のフレームにおいて前記第１のガンマ曲線を用いることが好ましい。
【０１６８】
上記の構成であれば、それぞれの画素について、フレーム毎に異なるガンマ曲線が交互に用いられて駆動される。また、各画素行において、フレーム毎に第１の画素行と第２の画素行とが交互に配置される。これにより、時間軸においての視角補償効果が生じ、表示パネルの縦方向および横方向のどちらにおいても斜視時の視認性がより良好になるとともに、映像を滑らかに表示させることができる。また、解像度感の劣化を防止できる。
【０１６９】
また、本発明に係る表示装置では、前記駆動回路は、前記表示装置に画像信号が入力されるフレーム周波数よりも高いフレーム周波数によって、前記表示パネルを駆動することが好ましい。
【０１７０】
上記の構成であれば、ちらつき現象（フリッカー）を抑えることができる。また、解像度感の劣化を低減させることができる。
【０１７１】
また、本発明に係る表示装置では、前記駆動回路は、前記表示装置に画像信号が入力されるフレーム周波数の３倍±１０％のフレーム周波数によって、前記表示パネルを駆動することが好ましい。
【０１７２】
上記の構成であれば、解像度感の劣化を防止できる。
【０１７３】
また、本発明に係る表示装置では、前記駆動回路は、前記表示装置に画像信号が入力されるフレーム周波数の２倍±１０％のフレーム周波数によって、前記表示パネルを駆動することが好ましい。
【０１７４】
上記の構成であれば、解像度感の劣化を防止できる。
【０１７５】
また、本発明に係る表示装置では、前記表示装置がＮＴＳＣ規格に従う入力インタフェースを備えており、かつ、当該入力インタフェースを通じて画像信号が入力されている場合、前記駆動回路は、６０Ｈｚよりも高いフレーム周波数によって、前記表示パネルを駆動することが好ましい。
【０１７６】
上記の構成であれば、ちらつき現象（フリッカー）を抑えることができる。また、解像度感の劣化を低減させることができる。
【０１７７】
また、本発明に係る表示装置では、前記表示装置がＮＴＳＣ規格に従う入力インタフェースを備えており、かつ、当該入力インタフェースを通じて画像信号が入力されている場合、前記駆動回路は、１８０Ｈｚ±１０％のフレーム周波数によって、前記表示パネルを駆動することが好ましい。
【０１７８】
上記の構成であれば、解像度感の劣化を防止できる。
【０１７９】
また、本発明に係る表示装置では、前記表示装置がＮＴＳＣ規格に従う入力インタフェースを備えており、かつ、当該入力インタフェースを通じて画像信号が入力されている場合、前記駆動回路は、１２０Ｈｚ±１０％のフレーム周波数によって、前記表示パネルを駆動することが好ましい。
【０１８０】
上記の構成であれば、解像度感の劣化を防止できる。
【０１８１】
また、本発明に係る表示装置では、前記表示装置がＰＡＬ規格に従う入力インタフェースを備えており、かつ、当該入力インタフェースを通じて画像信号が入力されている場合、前記駆動回路は、５０Ｈｚよりも高いフレーム周波数によって、前記表示パネルを駆動することが好ましい。
【０１８２】
上記の構成であれば、ちらつき現象を抑えることができる。また、解像度感の劣化を低減させることができる。
【０１８３】
また、本発明に係る表示装置では、前記表示装置がＰＡＬ規格に従う入力インタフェースを備えており、かつ、当該入力インタフェースを通じて画像信号が入力されている場合、前記駆動回路は、１５０Ｈｚ±１０％のフレーム周波数によって、前記表示パネルを駆動することが好ましい。
【０１８４】
上記の構成であれば、解像度感の劣化を防止できる。
【０１８５】
また、本発明に係る表示装置では、前記表示装置がＰＡＬ規格に従う入力インタフェースを備えており、かつ、当該入力インタフェースを通じて画像信号が入力されている場合、前記駆動回路は、１００Ｈｚ±１０％のフレーム周波数によって、前記表示パネルを駆動することが好ましい。
【０１８６】
上記の構成であれば、解像度感の劣化を防止できる。
【０１８７】
また、本発明に係る表示装置では、前記表示パネルにおける画素の密度が１４０ｐｐｉ以上であることが好ましい。
【０１８８】
上記の構成であれば、解像度感の劣化が視認しにくいため、より効果的に広視野角化による表示性能向上を図ることができる。
【０１８９】
また、本発明に係る表示装置では、前記表示パネルは、２３万個以上の画素を有するものであることが好ましい。
【０１９０】
上記の構成であれば、解像度感の劣化を視認しにくいため、より効果的に広視野角化による表示性能向上を図ることができる。
【０１９１】
発明の詳細な説明の項においてなされた具体的な実施形態または実施例は、あくまでも、本発明の技術内容を明らかにするものであって、そのような具体例にのみ限定して狭義に解釈されるべきものではなく、本発明の精神と次に記載する請求の範囲内で、いろいろと変更して実施することができるものである。
【産業上の利用可能性】
【０１９２】
本発明は、視野角を広くすることができるので、画像を表示する装置（例えば液晶表示装置）として幅広く利用できる。
【符号の説明】
【０１９３】
１      表示パネル
２      ゲートドライバ（駆動回路）
３      ソースドライバ（駆動回路）
１０    画素
１０Ａ  画素（第１の原色の画素）
１０Ｂ  画素（第２の原色の画素）
１０Ｃ  画素（第３の原色の画素）
１１Ａ  画素（第１の画素）
１１Ｂ  画素（第２の画素）
１１Ｃ  画素（第３の画素）
２０    画素組
２１    画素行（第１の画素行）
２２    画素行（第２の画素行）
１００  表示装置
γ０    目標のガンマ特性
γ１    ガンマ特性（第１のガンマ特性）
γ２    ガンマ特性（第２のガンマ特性）
γ３    ガンマ特性（第３のガンマ特性）
Ｃ０    目標のガンマ曲線
Ｃ１    ガンマ曲線（第１のガンマ曲線）
Ｃ２    ガンマ曲線（第２のガンマ曲線）
Ｃ３    ガンマ曲線（第３のガンマ曲線）
Ｒ      赤色（第１の原色）
Ｇ      緑色（第２の原色）
Ｂ      青色（第３の原色）
Ｆｎ、Ｆｎ＋１、Ｆｎ＋２、Ｆｎ＋３、Ｆｎ＋４  フレーム
【図１】
2011024516.tif 000003
【図２】
2011024516.tif 000004
【図３】
2011024516.tif 000005
【図４】
2011024516.tif 000006
【図５】
2011024516.tif 000007
【図６】
2011024516.tif 000008
【図７】
2011024516.tif 000009
【図８】
2011024516.tif 000010
【図９】
2011024516.tif 000011
【図１０】
2011024516.tif 000012
【図１１】
2011024516.tif 000013
【図１２】
2011024516.tif 000014
【図１３】
2011024516.tif 000015
【図１４】
2011024516.tif 000016
【図１５】
2011024516.tif 000017
【図１６】
2011024516.tif 000018
【図１７】
2011024516.tif 000019
【図１８】
2011024516.tif 000020
【図１９】
2011024516.tif 000021
【図２０】
2011024516.tif 000022
【図２１】
2011024516.tif 000023
【図２２】
2011024516.tif 000024
【手続補正書】
【提出日】平成24年2月20日(2012.2.20)
【手続補正１】
【補正対象書類名】特許請求の範囲
【補正対象項目名】全文
【補正方法】変更
【補正の内容】
【特許請求の範囲】
【請求項１】
デルタ状に配列された複数の画素を有する表示パネルと、前記複数の画素を駆動する駆動回路とを備えた表示装置であって、
前記複数の画素は、互いに配置位置が異なる第１の画素群、第２の画素群、および第３の画素群に分かれており、
前記駆動回路は、
前記第１の画素群を駆動する際、第１のガンマ特性を有する第１のガンマ曲線を用い、かつ、
前記第２の画素群を駆動する際、前記第１のガンマ特性と異なる第２のガンマ特性を有する第２のガンマ曲線を用い、かつ、
前記第３の画素群を駆動する際、前記第１のガンマ特性および前記第２のガンマ特性
のいずれとも異なる第３のガンマ特性を有する第３のガンマ曲線を用い、
前記第１のガンマ曲線上から任意に選択される階調に対応する相対輝度が、目標のガンマ特性を有する目標のガンマ曲線上の当該任意に選択される階調に対応する相対輝度よりも大きく、
前記第２のガンマ曲線上から任意に選択される階調に対応する相対輝度が、前記目標のガンマ曲線上の当該任意に選択される階調に対応する相対輝度よりも小さく、
前記第３のガンマ曲線は、ある階調において前記目標のガンマ曲線と交わっており、
前記第３のガンマ曲線上から任意に選択される、前記ある階調よりも小さい第１の階調に対応する相対輝度が、前記目標のガンマ曲線上の当該第１の階調に対応する相対輝度よりも小さく、
前記第３のガンマ曲線上から任意に選択される、前記ある階調よりも大きい第２の階調に対応する相対輝度が、前記目標のガンマ曲線上の当該第２の階調に対応する相対輝度よりも大きいことを特徴とする表示装置。
【請求項２】
デルタ状に配列された複数の画素を有する表示パネルと、前記複数の画素を駆動する駆動回路とを備えた表示装置であって、
前記複数の画素は、互いに配置位置が異なる第１の画素群、第２の画素群、および第３の画素群に分かれており、
前記駆動回路は、
前記第１の画素群を駆動する際、第１のガンマ特性を有する第１のガンマ曲線を用い、かつ、
前記第２の画素群を駆動する際、前記第１のガンマ特性と異なる第２のガンマ特性を有する第２のガンマ曲線を用い、かつ、
前記第３の画素群を駆動する際、前記第１のガンマ特性および前記第２のガンマ特性
のいずれとも異なる第３のガンマ特性を有する第３のガンマ曲線を用い、
前記第１のガンマ曲線上から任意に選択される階調に対応する相対輝度が、目標のガンマ特性を有する目標のガンマ曲線上の当該任意に選択される階調に対応する相対輝度よりも大きく、
前記第２のガンマ曲線上から任意に選択される階調に対応する相対輝度が、前記目標のガンマ曲線上の当該任意に選択される階調に対応する相対輝度よりも小さく、
前記第３のガンマ曲線は、ある階調において前記目標のガンマ曲線と交わっており、
前記第３のガンマ曲線上から任意に選択される、前記ある階調よりも小さい第１の階調に対応する相対輝度が、前記目標のガンマ曲線上の当該第１の階調に対応する相対輝度よりも大きく、
前記第３のガンマ曲線上から任意に選択される、前記ある階調よりも大きい第２の階調に対応する相対輝度が、前記目標のガンマ曲線上の当該第２の階調に対応する相対輝度よりも小さいことを特徴とする表示装置。
【請求項３】
デルタ状に配列された複数の画素を有する表示パネルと、前記複数の画素を駆動する駆動回路とを備えた表示装置であって、
前記複数の画素は、互いに配置位置が異なる第１の画素群、第２の画素群、および第３の画素群に分かれており、
前記駆動回路は、
前記第１の画素群を駆動する際、第１のガンマ特性を有する第１のガンマ曲線を用い、かつ、
前記第２の画素群を駆動する際、前記第１のガンマ特性と異なる第２のガンマ特性を有する第２のガンマ曲線を用い、かつ、
前記第３の画素群を駆動する際、前記第１のガンマ特性および前記第２のガンマ特性
のいずれとも異なる第３のガンマ特性を有する第３のガンマ曲線を用い、
前記第１のガンマ曲線上から任意に選択される階調に対応する相対輝度が、目標のガンマ特性を有する目標のガンマ曲線上の当該任意に選択される階調に対応する相対輝度よりも大きく、
前記第２のガンマ曲線上から任意に選択される階調に対応する相対輝度が、前記目標のガンマ曲線上の当該任意に選択される階調に対応する相対輝度よりも小さく、
前記第１のガンマ曲線は、第１のある階調において前記目標のガンマ曲線と交わっており、
前記第１のガンマ曲線上から任意に選択される、前記第１のある階調よりも小さい第３の階調に対応する相対輝度が、前記目標のガンマ曲線上の当該第３の階調に対応する相対輝度よりも大きく、
前記第１のガンマ曲線上から任意に選択される、前記第１のある階調よりも大きい第４の階調に対応する相対輝度が、前記目標のガンマ曲線上の当該第４の階調に対応する相対輝度よりも小さく、
前記第２のガンマ曲線は、第２のある階調において前記目標のガンマ曲線と交わっており、
前記第２のガンマ曲線上から任意に選択される、前記第２のある階調よりも小さい第５の階調に対応する相対輝度が、前記目標のガンマ曲線上の当該第５の階調に対応する相対輝度よりも小さく、
前記第２のガンマ曲線上から任意に選択される、前記第２のある階調よりも大きい第６の階調に対応する相対輝度が、前記目標のガンマ曲線上の当該第６の階調に対応する相対輝度よりも大きく、
前記第３のガンマ曲線は、前記目標のガンマ曲線に等しいことを特徴とする表示装置。
【請求項４】
前記第１のある階調と前記第２のある階調とが等しいことを特徴とする請求項３に記載の表示装置。
【請求項５】
前記目標のガンマ特性は１．７以上２．７以下であることを特徴とする請求項３または４に記載の表示装置。
【請求項６】
前記目標のガンマ曲線は変曲点を１つ有する曲線であることを特徴とする請求項３または４に記載の表示装置。
【請求項７】
前記第１のガンマ曲線上から任意に選択される階調に対応する相対輝度と、前記第２のガンマ曲線上の当該任意に選択される階調に対応する相対輝度との平均が、前記目標のガンマ曲線上の当該任意に選択される階調に対応する相対輝度と等しいことを特徴とする請求項３〜６のいずれか１項に記載の表示装置。
【請求項８】
前記複数の画素から任意に選択される、三角形状に配置された３つの画素のうち、
いずれか一つは第１の原色の画素であり、
もう一つは前記第１の原色と異なる第２の原色の画素であり、
さらにもう一つは前記第１の原色および前記第２の原色と異なる第３の原色の画素であることを特徴とする請求項１〜７のいずれか１項に記載の表示装置。
【請求項９】
前記表示パネルの行方向に連続して並んだ前記第１の原色の画素、前記第２の原色の画素、および前記第３の原色の画素からなる画素群を一つの画素組としたとき、任意に選択される、前記表示パネルにおいて三角形状に配置された３つの前記画素組のうち、
いずれか一つに含まれる全ての画素は前記第１の画素群を構成し、
もう一つに含まれる全ての画素は前記第２の画素群を構成し、
さらにもう一つに含まれる全ての画素は前記第３の画素群を構成することを特徴とする請求項８に記載の表示装置。
【請求項１０】
デルタ状に配列された複数の画素を有する表示パネルと、前記複数の画素を駆動する駆動回路とを備えた表示装置であって、
前記複数の画素は、互いに配置位置が異なる第１の画素群、第２の画素群、および第３の画素群に分かれており、
前記駆動回路は、
前記第１の画素群を駆動する際、第１のガンマ特性を有する第１のガンマ曲線を用い、かつ、
前記第２の画素群を駆動する際、前記第１のガンマ特性と異なる第２のガンマ特性を有する第２のガンマ曲線を用い、かつ、
前記第３の画素群を駆動する際、前記第１のガンマ特性および前記第２のガンマ特性
のいずれとも異なる第３のガンマ特性を有する第３のガンマ曲線を用い、
前記複数の画素から任意に選択される、三角形状に配置された３つの画素のうち、
いずれか一つは第１の原色の画素であり、
もう一つは前記第１の原色と異なる第２の原色の画素であり、
さらにもう一つは前記第１の原色および前記第２の原色と異なる第３の原色の画素であり、
前記第１の画素群は、いずれも前記第１の原色の画素によって構成されており、
前記第２の画素群は、いずれも前記第２の原色の画素によって構成されており、
前記第３の画素群は、いずれも前記第３の原色の画素によって構成されていることを特徴とする表示装置。
【請求項１１】
デルタ状に配列された複数の画素を有する表示パネルと、前記複数の画素を駆動する駆動回路とを備えた表示装置であって、
前記複数の画素は、互いに配置位置が異なる第１の画素群、第２の画素群、および第３の画素群に分かれており、
前記駆動回路は、
前記第１の画素群を駆動する際、第１のガンマ特性を有する第１のガンマ曲線を用い、かつ、
前記第２の画素群を駆動する際、前記第１のガンマ特性と異なる第２のガンマ特性を有する第２のガンマ曲線を用い、かつ、
前記第３の画素群を駆動する際、前記第１のガンマ特性および前記第２のガンマ特性
のいずれとも異なる第３のガンマ特性を有する第３のガンマ曲線を用い、
前記複数の画素から任意に選択される、三角形状に配置された３つの画素のうち、
いずれか一つは第１の原色の画素であり、
もう一つは前記第１の原色と異なる第２の原色の画素であり、
さらにもう一つは前記第１の原色および前記第２の原色と異なる第３の原色の画素であり、
前記表示パネルの行方向に連続して並んだ前記第１の原色の画素、前記第２の原色の画素、および前記第３の原色の画素からなる画素群を一つの画素組としたとき、任意に選択される、前記表示パネルにおいて三角形状に配置された３つの前記画素組のうち、
いずれか一つに含まれる前記第１の原色の画素は前記第１の画素群を構成し、
もう一つに含まれる前記第１の原色の画素は前記第２の画素群を構成し、
さらにもう一つに含まれる前記第１の原色の画素は前記第３の画素群を構成し、
前記駆動回路は、前記第２の原色の画素および前記第３の原色の画素を駆動する際、目標のガンマ特性を有する目標のガンマ曲線を使用することを特徴とする記載の表示装置。
【請求項１２】
デルタ状に配列された複数の画素を有する表示パネルと、前記複数の画素を駆動する駆動回路とを備えた表示装置であって、
前記複数の画素は、互いに配置位置が異なる第１の画素群、第２の画素群、および第３の画素群に分かれており、
前記駆動回路は、
前記第１の画素群を駆動する際、第１のガンマ特性を有する第１のガンマ曲線を用い、かつ、
前記第２の画素群を駆動する際、前記第１のガンマ特性と異なる第２のガンマ特性を有する第２のガンマ曲線を用い、かつ、
前記第３の画素群を駆動する際、前記第１のガンマ特性および前記第２のガンマ特性
のいずれとも異なる第３のガンマ特性を有する第３のガンマ曲線を用い、
前記複数の画素から任意に選択される、三角形状に配置された３つの画素のうち、
いずれか一つは第１の原色の画素であり、
もう一つは前記第１の原色と異なる第２の原色の画素であり、
さらにもう一つは前記第１の原色および前記第２の原色と異なる第３の原色の画素であり、
前記表示パネルの行方向に連続して並んだ前記第１の原色の画素、前記第２の原色の画素、および前記第３の原色の画素からなる画素群を一つの画素組としたとき、任意に選択される、前記表示パネルにおいて三角形状に配置された３つの前記画素組のうち、
いずれか一つに含まれる前記第１の原色の画素および前記第２の原色の画素は前記第１の画素群を構成し、
もう一つに含まれる前記第１の原色の画素および前記第２の原色の画素は前記第２の画素群を構成し、
さらにもう一つに含まれる前記第１の原色の画素および前記第２の原色の画素は前記第３の画素群を構成し、
前記駆動回路は、前記第３の原色の画素を駆動する際、目標のガンマ特性を有する目標のガンマ曲線を使用することを特徴とする表示装置。
【請求項１３】
デルタ状に配列された複数の画素を有する表示パネルと、前記複数の画素を駆動する駆動回路とを備えた表示装置であって、
前記複数の画素は、互いに配置位置が異なる第１の画素群、第２の画素群、および第３の画素群に分かれており、
前記駆動回路は、
前記第１の画素群を駆動する際、第１のガンマ特性を有する第１のガンマ曲線を用い、かつ、
前記第２の画素群を駆動する際、前記第１のガンマ特性と異なる第２のガンマ特性を有する第２のガンマ曲線を用い、かつ、
前記第３の画素群を駆動する際、前記第１のガンマ特性および前記第２のガンマ特性
のいずれとも異なる第３のガンマ特性を有する第３のガンマ曲線を用い、
前記複数の画素から任意に選択される、三角形状に配置された３つの画素のうち、
いずれか一つは第１の原色の画素であり、
もう一つは前記第１の原色と異なる第２の原色の画素であり、
さらにもう一つは前記第１の原色および前記第２の原色と異なる第３の原色の画素であり、
前記表示パネルの行方向に連続して並んだ前記第１の原色の画素、前記第２の原色の画素、および前記第３の原色の画素からなる画素群を一つの画素組としたとき、任意に選択される、前記表示パネルにおいて三角形状に配置された３つの前記画素組のうち、
いずれか一つに含まれる３つの画素のうち、前記第１の原色の画素および前記第２の原色の画素は前記第１の画素群を構成し、かつ前記第３の原色の画素は前記第３の画素群を構成し、
もう一つに含まれる３つの画素のうち、前記第１の原色の画素および前記第２の原色の画素は前記第２の画素群を構成し、かつ前記第３の原色の画素は前記第１の画素群を構成し、
さらにもう一つに含まれる３つの画素のうち、前記第１の原色の画素および前記第２の原色の画素は前記第３の画素群を構成し、かつ前記第３の原色の画素は前記第２の画素群を構成することを特徴とする表示装置。
【請求項１４】
デルタ状に配列された複数の画素を有する表示パネルと、前記複数の画素を駆動する駆動回路とを備えた表示装置であって、
前記複数の画素は、互いに配置位置が異なる第１の画素群、第２の画素群、および第３の画素群に分かれており、
前記駆動回路は、
前記第１の画素群を駆動する際、第１のガンマ特性を有する第１のガンマ曲線を用い、かつ、
前記第２の画素群を駆動する際、前記第１のガンマ特性と異なる第２のガンマ特性を有する第２のガンマ曲線を用い、かつ、
前記第３の画素群を駆動する際、前記第１のガンマ特性および前記第２のガンマ特性
のいずれとも異なる第３のガンマ特性を有する第３のガンマ曲線を用い、
前記複数の画素から任意に選択される、三角形状に配置された３つの画素のうち、いずれか一つは前記第１の画素群を構成し、もう一つは前記第２の画素群を構成し、さらにもう一つは前記第３の画素群を構成することを特徴とする表示装置。
【請求項１５】
前記第１のガンマ曲線上から任意に選択される階調に対応する相対輝度が、目標のガンマ特性を有する目標のガンマ曲線上の当該任意に選択される階調に対応する相対輝度よりも大きく、
前記第２のガンマ曲線上から任意に選択される階調に対応する相対輝度が、前記目標のガンマ曲線上の当該任意に選択される階調に対応する相対輝度よりも小さいことを特徴とする請求項１４に記載の表示装置。
【請求項１６】
前記第３のガンマ曲線上から任意に選択される階調に対応する相対輝度が、前記目標のガンマ曲線上の当該任意に選択される階調に対応する相対輝度よりも大きいことを特徴とする請求項１５に記載の表示装置。
【請求項１７】
前記第３のガンマ曲線上から任意に選択される階調に対応する相対輝度が、前記目標のガンマ曲線上の当該任意に選択される階調に対応する相対輝度よりも小さいことを特徴とする請求項１５に記載の表示装置。
【請求項１８】
前記第１のガンマ曲線上から任意に選択される階調に対応する相対輝度と、前記第２のガンマ曲線上の当該任意に選択される階調に対応する相対輝度と、前記第３のガンマ曲線上の当該任意に選択される階調に対応する相対輝度との平均が、前記目標のガンマ曲線上の当該任意に選択される階調に対応する相対輝度と等しいことを特徴とする請求項１５〜１７のいずれか１項に記載の表示装置。
【請求項１９】
デルタ状に配列された複数の画素を有する表示パネルと、前記複数の画素を駆動する駆動回路とを備えた表示装置であって、
前記複数の画素は、互いに配置位置が異なる第１の画素群、第２の画素群、および第３の画素群に分かれており、
前記駆動回路は、
前記第１の画素群を駆動する際、第１のガンマ特性を有する第１のガンマ曲線を用い、かつ、
前記第２の画素群を駆動する際、前記第１のガンマ特性と異なる第２のガンマ特性を有する第２のガンマ曲線を用い、かつ、
前記第３の画素群を駆動する際、前記第１のガンマ特性および前記第２のガンマ特性
のいずれとも異なる第３のガンマ特性を有する第３のガンマ曲線を用い、
前記第１のガンマ曲線上から任意に選択される階調に対応する相対輝度が、目標のガンマ特性を有する目標のガンマ曲線上の当該任意に選択される階調に対応する相対輝度よりも大きく、
前記第２のガンマ曲線上から任意に選択される階調に対応する相対輝度が、前記目標のガンマ曲線上の当該任意に選択される階調に対応する相対輝度よりも小さく、
前記第３のガンマ曲線は、前記目標のガンマ曲線に等しく、
前記表示パネルにおいて、前記第１の画素群を構成する第１の画素と前記第２の画素群を構成する第２の画素とが交互に配置された第１の画素行と、前記第３の画素群を構成する第３の画素のみが配置された第２の画素行とが交互に配置されていることを特徴とする表示装置。
【請求項２０】
任意に選択される前記第２の画素行の一つ前に配置された前記第１の画素行において、ある列に前記第１の画素が配置され、かつ、当該ある列の次の列に前記第２の画素が配置されており、
前記任意の第２の画素行の一つ次に配置された前記第１の画素行において、前記ある列に前記第１の画素が配置され、かつ、前記次の列に前記第２の画素が配置されていることを特徴とする請求項１９に記載の表示装置。
【請求項２１】
任意に選択される前記第２の画素行の一つ前に配置された前記第１の画素行において、ある列に前記第１の画素が配置され、かつ、当該ある列の次の列に前記第２の画素が配置されており、
前記任意の第２の画素行の一つ次に配置された前記第１の画素行において、前記ある列に前記第２の画素が配置され、かつ、前記次の列に前記第１の画素が配置されていることを特徴とする請求項１９に記載の表示装置。
【請求項２２】
前記駆動回路は、前記複数の画素のそれぞれを駆動する際、
あるフレームにおいて前記第１のガンマ曲線を用いた場合は、次のフレームにおいて前記第２のガンマ曲線を用い、かつ、
前記あるフレームにおいて前記第２のガンマ曲線を用いた場合は、前記次のフレームにおいて前記第３のガンマ曲線を用い、かつ、
前記あるフレームにおいて前記第３のガンマ曲線を用いた場合は、前記次のフレームにおいて前記第１のガンマ曲線を用いることを特徴とする請求項１４に記載の表示装置。
【請求項２３】
前記駆動回路は、前記複数の画素のそれぞれを駆動する際、
あるフレームにおいて前記第１のガンマ曲線を用いた場合は、次のフレームにおいて前記第３のガンマ曲線を用い、かつ、
前記あるフレームにおいて前記第２のガンマ曲線を用いた場合は、前記次のフレームにおいて前記第１のガンマ曲線を用い、かつ、
前記あるフレームにおいて前記第３のガンマ曲線を用いた場合は、前記次のフレームにおいて前記第２のガンマ曲線を用いることを特徴とする請求項１４に記載の表示装置。
【請求項２４】
前記駆動回路は、前記複数の画素のそれぞれを駆動する際、
あるフレームにおいて前記第１のガンマ曲線を用いた場合は、次のフレームにおいて前記第２のガンマ曲線を用い、かつ、
前記あるフレームにおいて前記第２のガンマ曲線を用いた場合は、前記次のフレームにおいて前記第１のガンマ曲線を用い、かつ、
前記あるフレームにおいて前記第３のガンマ曲線を用いた場合は、前記次のフレームにおいて前記第３のガンマ曲線を用いることを特徴とする請求項１４〜２１のいずれか１項に記載の表示装置。
【請求項２５】
前記駆動回路は、前記複数の画素のそれぞれを駆動する際、
あるフレームにおいて前記第１のガンマ曲線または前記第２のガンマ曲線を用いた場合は、次のフレームにおいて前記第３のガンマ曲線を用い、かつ、
前記あるフレームにおいて前記第３のガンマ曲線を用いるとともに、前のフレームにおいて前記第１のガンマ曲線を用いた場合は、前記次のフレームにおいて前記第１のガンマ曲線を用い、かつ、
前記あるフレームにおいて前記第３のガンマ曲線を用いるとともに、前記前のフレームにおいて前記第２のガンマ曲線を用いた場合は、前記次のフレームにおいて前記第２のガンマ曲線を用いることを特徴とすることを特徴とする請求項２０または２１に記載の表示装置。
【請求項２６】
前記駆動回路は、前記複数の画素のそれぞれを駆動する際、
あるフレームにおいて前記第１のガンマ曲線または前記第２のガンマ曲線を用いた場合は、次のフレームにおいて前記第３のガンマ曲線を用い、かつ、
前記あるフレームにおいて前記第３のガンマ曲線を用いるとともに、前のフレームにおいて前記第１のガンマ曲線を用いた場合は、前記次のフレームにおいて前記第２のガンマ曲線を用い、かつ、
前記あるフレームにおいて前記第３のガンマ曲線を用いるとともに、前記前のフレームにおいて前記第２のガンマ曲線を用いた場合は、前記次のフレームにおいて前記第１のガンマ曲線を用いることを特徴とする請求項２０または２１に記載の表示装置。
【請求項２７】
前記駆動回路は、前記表示装置に画像信号が入力されるフレーム周波数よりも高いフレーム周波数によって、前記表示パネルを駆動することを特徴とする請求項２２〜２５のいずれか１項に記載の表示装置。
【請求項２８】
前記駆動回路は、前記表示装置に画像信号が入力されるフレーム周波数の３倍±１０％のフレーム周波数によって、前記表示パネルを駆動することを特徴とする請求項２２〜２５のいずれか１項に記載の表示装置。
【請求項２９】
前記駆動回路は、前記表示装置に画像信号が入力されるフレーム周波数の２倍±１０％のフレーム周波数によって、前記表示パネルを駆動することを特徴とする請求項２２〜２５のいずれか１項に記載の表示装置。
【請求項３０】
前記表示装置がＮＴＳＣ規格に従う入力インタフェースを備えており、かつ、当該入力インタフェースを通じて画像信号が入力されている場合、前記駆動回路は、６０Ｈｚよりも高いフレーム周波数によって、前記表示パネルを駆動することを特徴とする請求項２２〜２５のいずれか１項に記載の表示装置。
【請求項３１】
前記表示装置がＮＴＳＣ規格に従う入力インタフェースを備えており、かつ、当該入力インタフェースを通じて画像信号が入力されている場合、前記駆動回路は、１８０Ｈｚ±１０％のフレーム周波数によって、前記表示パネルを駆動することを特徴とする請求項２２または２３に記載の表示装置。
【請求項３２】
前記表示装置がＮＴＳＣ規格に従う入力インタフェースを備えており、かつ、当該入力インタフェースを通じて画像信号が入力されている場合、前記駆動回路は、１２０Ｈｚ±１０％のフレーム周波数によって、前記表示パネルを駆動することを特徴とする請求項２４〜２６のいずれか１項に記載の表示装置。
【請求項３３】
前記表示装置がＰＡＬ規格に従う入力インタフェースを備えており、かつ、当該入力インタフェースを通じて画像信号が入力されている場合、前記駆動回路は、５０Ｈｚよりも高いフレーム周波数によって、前記表示パネルを駆動することを特徴とする請求項２４〜２６のいずれか１項に記載の表示装置。
【請求項３４】
前記表示装置がＰＡＬ規格に従う入力インタフェースを備えており、かつ、当該入力インタフェースを通じて画像信号が入力されている場合、前記駆動回路は、１５０Ｈｚ±１０％のフレーム周波数によって、前記表示パネルを駆動することを特徴とする請求項２２または２３に記載の表示装置。
【請求項３５】
前記表示装置がＰＡＬ規格に従う入力インタフェースを備えており、かつ、当該入力インタフェースを通じて画像信号が入力されている場合、前記駆動回路は、１００Ｈｚ±１０％のフレーム周波数によって、前記表示パネルを駆動することを特徴とする請求項２４〜２６のいずれか１項に記載の表示装置。
【請求項３６】
前記表示パネルにおける画素の密度が１４０ｐｐｉ以上であることを特徴とする請求項１〜３５のいずれか１項に記載の表示装置。
【請求項３７】
前記表示パネルは、２３万個以上の画素を有するものであることを特徴とする請求項１〜３６のいずれか１項に記載の表示装置。
【国際調査報告】
2011024516.tif 000025
2011024516.tif 000026
2011024516.tif 000027
2011024516.tif 000028